(57)【特許請求の範囲】
【請求項１】
撮像された画像を表示手段に再生表示する画像再生装置において、上記撮像された画像を順次、再生表示する検索モードを設定するモード設定手段と、検索モードが設定されたときは、上記撮像された画像から通常再生時よりも粗い密度の表示画像を生成して１つの表示画像を再生表示する第１の制御手段と、上記検索モードが解除されたときは、該検索モードが解除されたときに再生表示されていた画像を通常再生時の密度で再生表示する第２の制御手段と、上記撮像された画像から通常再生時よりも粗い密度の表示画像を生成して所定の配列パターンで配列した複数の画像を再生表示する第３の制御手段とを備えたことを特徴とする画像再生装置。
【発明の詳細な説明】
【０００１】
【産業上の利用分野】
本発明は、例えば現像済フィルムの各駒に撮影された画像をＣＣＤ（Charge Coupled Device）イメージセンサ等で撮像して得られる画像等の撮像画像をモニタＴＶ（television）等の表示装置に再生表示する画像再生装置に関するものである。
【０００２】
【従来の技術】
従来、現像済フィルムの各駒に撮影された画像をモニタＴＶ等で表示するフィルム画像再生装置が知られている。このフィルム画像再生装置は、例えば予め設定された再生条件に従って各駒に撮影された画像をＣＣＤ等からなるラインイメージセンサで走査して読み取り、この読み取った画像に所定の信号処理を施して順次、モニタＴＶに再生表示するようになされている。
【０００３】
また、従来のフィルム画像再生装置には画像の編集や検索処理の操作性を考慮して、装填された現像済フィルムの全駒の画像を所定の配列パターンに配列してなるマルチ画像に編集してモニタＴＶに再生表示する、いわゆるマルチ画像再生機能を備えたものが知られている。
【０００４】
【発明が解決しようとする課題】
上記フィルム画像再生装置により現像済フィルムをモニタＴＶに再生表示させる場合、全駒の画像を予め設定した再生条件により連続的に再生させるだけでなく、一度再生された駒の中から所望の駒を検索して再生表示させたい場合がある。
【０００５】
かかる場合、上記マルチ画像再生機能を用いて検索再生を行なうことも可能であるが、マルチ画像再生機能は全駒の画像を読み取り、マルチ画像に合成して再生するため、一定の処理時間を要し、検索内容によっては検索処理に時間を要し、必ずしも好適な検索操作とはいえない場合がある。例えば現在の駒位置から比較的近い位置に見たい駒があると分かっている場合は、鑑賞者がマニュアルで見たい駒をサーチした方がマルチ画像再生機能を利用するよりは短時間で検索することができる。
【０００６】
鑑賞者のマニュアル操作による検索処理方法として、例えば鑑賞者が駒番号を指定して当該番号の駒の画像を再生させる方法や鑑賞者がマニュアルで所定の方向に駒送りを行ない、各駒の画像を確認しながら検索し、所望の駒が見つかった時点で駒送りを停止させて当該駒を再生させる方法が考えられる。この場合、前者の方法は、正確な駒番号が分からない場合は、適当に駒番号を指定しては当該駒の画像を再生させて確認するという煩雑な作業を繰り返さなければならず、操作性及び検索効率が著しく低下するので、好ましくは両方法を併用した検索処理方法を採用する方がよい。
【０００７】
本発明は、上記課題及び背景に鑑みてなされたものであり、操作性及び検索効率の高いマニュアル検索が可能な画像再生装置を提供することを目的とする。
【０００８】
【課題を解決するための手段】
本発明は、撮像された画像を表示手段に再生表示する画像再生装置において、上記撮像された画像を順次、再生表示する検索モードを設定するモード設定手段と、検索モードが設定されたときは、上記撮像された画像から通常再生時よりも粗い密度の表示画像を生成して1つの表示画像を再生表示する第１の制御手段と、上記検索モードが解除されたときは、該検索モードが解除されたときに再生表示されていた画像を通常再生時の密度で再生表示する第２の制御手段と、上記撮像された画像から通常再生時よりも粗い密度の表示画像を生成して所定の配列パターンで配列した複数の画像を再生表示する第３の制御手段とを備えたものである。
【０００９】
【作用】
本発明によれば、検索モードが設定されると、撮像された画像が通常再生時よりも粗い密度で順次、表示手段に再生表示される。検索モードが解除されると、この解除時の駒を選択された駒と判断として当該駒の画像が通常再生時の密度で表示手段に再生表示される。例えばフィルムの各コマに撮影された画像をＣＣＤイメージセンサ等で撮像し、この撮像画像をモニタＴＶ（television）等の表示装置に再生表示する場合、検索モードが設定されると、フィルムが高速給送されつつ各駒の画像が通常再生時よりも粗い密度で撮像されて順次、表示手段に再生表示される。そして、検索モードが解除されると、この解除時の駒の画像が通常再生時の密度で撮像され、この撮像画像が表示手段に再生表示される。
【００１０】
【実施例】
本発明に係る画像再生装置について、フィルムに撮影された画像をモニタ（Television）に再生表示するフィルム画像再生装置を例に説明する。図１は、本発明に係るフィルム画像再生装置の一実施例の外観図である。フィルム画像再生装置１は、映像信号用のケーブルＫ１と音声信号用のケーブルＫ２とによりモニタＴＶ２に接続されて使用され、フィルムカートリッジ９に収納された現像済みのフィルム１１（図８、参照）の各駒Ｆに撮影された画像（以下、フィルム画像という。）を撮像装置により撮像し、この撮像された画像（以下、撮像画像という。）を設定された演出条件に従ってモニタＴＶ（表示手段）２に再生するものである。
【００１１】
上記演出条件にはフィルム画像の再生に関する演出とＢＧＭ（Background Music）等の効果音に関する演出とが含まれ、両演出条件は、フィルム画像再生装置１の操作部８から設定されるようになっている。上記フィルム画像は、上記モニタＴＶ２の表示画面３に再生表示され、上記効果音は、モニタＴＶ２の両側面に設けられた一対のスピーカ４から発音される。
【００１２】
上記フィルム画像の再生に関する演出条件にはフェードイン／フェードアウトによる再生、パンニングによる再生（フィルム画像を左端から右方向に、或いは下端から上方向にパンして再生するもの）、ズームアップによる再生及びスーパーインポーズによる文字情報の重畳等が含まれる。
【００１３】
再生に関する演出条件の設定においては、上記演出条件の他、再生駒の指定、再生駒の順番、画像の天地方向の反転及び画像の縦横の画面変換等の再生条件が設定される。また、効果音に関する演出条件は、主として各フィルム画像の再生条件に対応したＢＧＭの演奏であるが、必要に応じてナレーションを挿入することも可能である。上記演出条件は、フィルム画像再生装置１による編集作業で設定されるとともに、フィルム１１の磁気記録部１１６Ａ，１１６Ｂ，１１７Ａ，１１７Ｂ（図８、参照）に記録される。
【００１４】
フィルム画像再生装置１は、前面パネル１０１にイジェクトテーブル６、表示部７及び操作部８を備え、該操作部８に設けられた各種スイッチ類によりフィルム画像の再生操作や上記演出条件の設定に関する各種操作が可能になっている。
【００１５】
なお、フィルム画像再生装置１は、リモートコントロール５を備え、上記操作部８に代えて該リモートコントロール５により上記各種操作を行うこともできるようになっている。
【００１６】
イジェクトテーブル６は、フィルムカートリッジ９をフィルム画像再生装置１内に設けられたフィルム装填部１２（図３、参照）に装填させるもので、上記前面パネル１０１の正面左側に該前面パネル１０１に対して出没し得るようにスライド可能に設けられている。イジェクトテーブル６の底面には巻戻しフォーク（不図示）が垂直に立設され、フィルムカートリッジ９はスプール９１の駆動孔９１１（図５、参照）を上記巻戻しフォークに嵌入装着してイジェクトテーブル６に装着される。
【００１７】
上記表示部７は、上記前面パネル１０１の右上部に配けられ、図２に示すように、各種情報の表示を行なう複数の表示領域７０１〜７０７を有している。表示領域７０１は、フィルム１１の読取モード、プログラムモード、再生モード及び演出モード等の各モードの設定状態を表示するものである。表示領域７０２は、モニターＴＶ２に再生される画像（以下、再生画像という）の色調整の状態を表示するもので、Ｒ，Ｇ，Ｂの各色の信号成分のレベルが表示されるようになっている。表示領域７０３は、フィルム１１の有無、ローディング及び給送状態を表示するもので、各状態がシンボルマークにより表示されるようになっている。
【００１８】
表示領域７０４は、駒番号をデジタル表示するものである。表示領域７０５は、効果音用の音楽の番号をデジタル表示するものである。フィルム画像再生装置１は、予め複数の音楽が記録された音楽記録媒体を内蔵し、上記演出方法の設定に際し、該音楽記録媒体に記録された音楽から効果音を選曲し得るようになっている。上記表示領域７０５には演出方法の設定時や実際のフィルム画像の再生時に、選択あるいは設定された音楽の番号が表示される。
【００１９】
表示領域７０６は、フィルム１１から読み取られた全駒番号を２次元マトリックス状に配列して表示するものである。表示領域７０７は、再生画像のクリッピング領域を表示するものである。
【００２０】
操作部８は、上記前面パネル１０１の左上部に配設された電源スイッチ８０１、電源ランプ８０２及びイジェクトスイッチ８０３と、上記表示部７の下方に配列された各種のスイッチ８０４〜８１７とから構成されている。
【００２１】
電源スイッチ８０１は、フィルム画像再生装置１の主電源スイッチで、押下毎にＯＮ状態とＯＦＦ状態とが交互に切り換わるようになっている。電源スイッチ８０１がＯＮ状態になると、フィルム画像再生装置１が起動され、ＯＦＦ状態になると、駆動中のフィルム画像再生装置１は停止される。また、電源ランプ８０２は、上記電源スイッチ８０１の状態を示すもので、電源スイッチ８０１がＯＮ状態になると、点灯され、ＯＦＦ状態になると、消灯される。
【００２２】
イジェクトスイッチ８０３は、イジェクトテーブル６の排出及び収納を指示するスイッチで、押下毎にＯＮとＯＦＦとが交互に切り換わるようになっている。イジェクトスイッチ８０３がＯＮになると、イジェクトテーブル６がフィルム画像再生装置１内に収納され、ＯＦＦになると、イジェクトテーブル６がフィルム画像再生装置１から排出される。
【００２３】
スイッチ８０４〜８１２は、演出条件を設定するためのスイッチであり、スイッチ８１３〜８１７は、フィルム１１の給送及び再生を指示するためのスイッチである。
【００２４】
色調整スイッチ８０４は、ズームスイッチ８１１とともに再生画像のＲ，Ｇ，Ｂの各色の調整を行なうためのスイッチを構成するものである。色調整スイッチ８０４により調整対象の色が切換設定され、ズームスイッチ８１１により色の信号レベルが調整される。上記色調整時の各色の調整状態は、上記表示領域７０２のＲ，Ｇ，Ｂの各色のレベルに表示され、操作者は、表示領域７０２の表示をモニターしながら色調整操作を行なうことができる。
【００２５】
プログラムスイッチ８０５は、プログラムモード（演出条件をプログラムするためのモード）をセットするためのスイッチである。モードスイッチ８０６は、演出モードを切換設定するためのスイッチである。フィルム画像再生装置１は、例えばマニュアル設定された演出条件によりフィルム画像を再生したり、上記プログラムモードにより設定されたプログラムに従ってフィルム画像を再生させる等の数種類の演出モードを備え、これらの演出モードはモードスイッチ（モード設定手段）８０６により切換設定される。
【００２６】
ローテーションスイッチ８０７は、パンニングスイッチ８１２とともに、再生画像を回転させるためのスイッチを構成するものである。ローテーションスイッチ８０７により画像の回転モードが設定され、パンニングスイッチ８１２により回転量が設定される。デリートスイッチ８０８は、上記パンニングスイッチ８１２とともに、読み取られたフィルム画像の内、再生不要のフィルム画像を指定し、再生すべきフィルム画像の編集をするためのスイッチを構成するものである。デリートスイッチ８０８によりデリートモードが設定され、パンニングスイッチ８１２により再生不要の駒が指定される。
【００２７】
クリップスイッチ８０９は、フィルム画像のクリッピングを行うためのスイッチである。選択スイッチ８１０は、マニュアル設定を行う演出条件の対象（画像又は音楽）を切換設定するスイッチである。
【００２８】
ズームスイッチ８１１は、再生画像の拡大／縮小を行うスイッチである。パンニングスイッチ８１２は、編集作業においてモニタＴＶ２の表示画面３に表示されるカーソル或いは再生領域を制御するスイッチである。なお、ズームスイッチ８１１及びパンニングスイッチ８１２は、上記のように他のスイッチと組み合わせて複数の機能を行うようになされている。
【００２９】
巻戻スイッチ８１３は、繰り出されたフィルム１１のフィルムカートリッジ９内への高速巻戻しを指示するスイッチである。停止スイッチ８１４は、給送中のフィルム１１の停止を指示するスイッチである。一時停止スイッチ８１５は、再生動作におけるフィルム１１の給送を一時停止させるスイッチである。再生スイッチ８１６は、フィルム画像の再生動作を指示するスイッチである。早送りスイッチ８１７は、フィルムカートリッジ９からのフィルム１１の高速繰出しを指示するスイッチである。
【００３０】
図５は、上記フィルム画像再生装置に適用されるフィルムカートリッジの斜視図である。また、図６は、上記フィルムカートリッジにフィルムが収納された状態を示す斜視図、図７は、上記フィルムカートリッジからフィルムが繰り出された状態を示す斜視図である。
【００３１】
フィルムカートリッジ９は円筒状をなし、軸に平行な側面にフィルム１１の給送部９６が突設されている。上記給送部９６の先端にはフィルム１１の給送口９９が設けられ、該給送口９９には遮光蓋９８が開閉可能に取り付けられている（図６、参照）。また、フィルムカートリッジ９は、本体軸上にフィルム１１を巻き取るためのスプール９１を有し、上記給送部９６の適所に上記遮光蓋９８を開閉させる開閉軸９７を有している。
【００３２】
フィルムカ−トリッジ９は、フィルム画像再生装置１に装填されていない状態においては、フィルム１１がフィルムカートリッジ９内に完全に収納されるとともに、上記給送口９９が遮光蓋９８により閉成され、フィルム１１がフィルムカートリッジ９から容易に取り出せないようになっている。
【００３３】
一方、フィルム画像再生装置１は、後述するようにオートローディング機構を有し、上記フィルムカートリッジ９がフィルム装填部１２（図３、参照）に装填されると、上記開閉軸９７を回転させて遮光蓋９８を給送口９９から退避させる（給送口９９を開成させる）とともに、上記スプール９１を回転させてフィルム１１のフィルムリーダ部１１Ａをフィルムカートリッジ本体から引き出し（図７、参照）、上記フィルム装填部１２内に設けられた巻取用スプール１５３（図３、参照）に自動的に巻き付け、各駒のフィルム画像を読み取ることができるようになっている。
【００３４】
フィルムカートリッジ９は、上記スプール９１の一方端にフィルム感度、フィルムの種類（カラー／モノクロ、ネガ／ポジ等）及び駒数等のフィルム固有の情報（以下、フィルム情報という）がバーコード９４で表示されたデータディスク９２を備えている。なお、上記バーコード９４については、本明細書では便宜上、ハッチングで示した黒い部分９４ａをバー、白い部分９４ｂをスペースと称し、黒の幅が広い領域９４１をブラックゾーン、白い幅が広い領域９４２をクワイエットゾーンと称する。
【００３５】
上記データディスク９２は、カートリッジ９本体の端面９Ａと面一に設けられ、上記スプール９１と一体に回転するようになっている。上記スプール９１の中心軸上には上記イジェクトテーブル６に設けられた巻戻しフォークに嵌合する駆動孔９１１が設けられている。
【００３６】
上記データディスク９２にはブラックゾーン９４１及びクワイエットゾーン９４２を除いてバー９４ａ及びスペース９４ｂがそれぞれ２種類の幅（幅の広いものをワイドと称し、幅の狭いものをナロウと称する。）で１１本ずつ設けられており、その組み合せにより上記フィルム情報が表示されている。なお、ブラックゾーン９４１及びクワイエットゾーン９４２に隣接しているバー９４ａ及びスペース９４ｂはそれぞれナロウの幅で形成され、本実施例においてはワイドとナロウの幅の比率は３：１に設定されている。
【００３７】
また、上記データディスク９２の表面にはフィルム１１の使用状態の表示を指示するための矢印形状の合わせマーク９３が設けられ、カートリッジ９本体の外周面にはカートリッジ内のフィルム１１の使用状態を表示するための４種類の表示マーク９５１〜９５４が設けられている。
【００３８】
表示マーク９５１〜９５４は文字表示からなり、「ＦＲＥＳＨ」の表示マーク９５１は未露光状態であることを示し、「ＭＲＩ」の表示マーク９５２は途中の駒まで露光済みであることを示し、「ＥＸＰＯＳＥＤ」の表示マーク９５３は全駒露光済みであることを示し、「ＰＲＯＣＥＳＳＥＤ」の表示マーク９５４は現像済みであることを示している。なお、上記表示マーク９５１〜９５４は、シンボルマークや記号等で表示してもよい。
【００３９】
そして、上記合わせマーク９３の指示する表示マーク９５１〜９５４によりカートリッジ内のフィルム１１の使用状態が分かるようになっている。例えば合わせマーク９３が「ＦＲＥＳＨ」の表示マーク９５１を指示していれば、フィルム１１は未露光であり、「ＭＲＩ」の表示マーク９５２を指示していれば、フィルム１１は途中の駒まで露光済みであると判別される。
【００４０】
図８は、上記フィルム画像再生装置に適用されるフィルムの構造を示す図である。
【００４１】
フィルムカートリッジ９に収納されたフィルム１１は、先頭からフィルムリーダ部１１Ａ、画像撮像部１１Ｂ及びフィルムエンド部１１Ｃの３つの領域を有している。
【００４２】
フィルムリーダ部１１Ａはフィルムカーリッジ９本体からフィルム１１を引き出すために設けられたリード部分である。フィルムリーダ部１１Ａの後端部には略１駒分の未露光領域１１Ｄが設けられている。画像撮像部１１Ｂは、所定枚数の写真が所定ピッチで撮影された領域である。各駒Ｆの写真は、ハイビジョンサイズのアスペクト比（縦：横＝９：１６）を有し、標準サイズの画面（アスペクト比（縦：横）＝３：４）よりも横長画面で撮影されている。フィルムエンド部１１Ｃは、上記画像撮像部１１Ｂをカートリッジ９本体から所定寸法以上引き出すためにフィルム１１の後端に設けられた未露光領域である。
【００４３】
なお、以下の説明では、各駒Ｆのフィルム画像が画面構成に合わせ、必要に応じてフィルムの長手方向を横方向、フィルムの幅方向を縦方向という。
【００４４】
フィルム１１の引出方向に対して左側縁部に複数個の矩形状の孔１１１〜１１５が穿設されている。孔１１１，１１２は未露光領域１１Ｄ及び各駒Ｆの位置を示すもので、孔１１１は未露光領域１１Ｄ及び各駒Ｆの前端位置に設けられ、孔１１２は未露光領域１１Ｄ及び各駒Ｆの後端位置に設けられている。孔１１３は、フィルムリーダ部１１Ａの磁気記録部１１６Ａ，１１６Ｂの始まりを示すもので、未露光領域１１Ｄの前端位置を示す孔１１１より所定寸法だけ先端側に設けられている。孔１１４は、フィルムエンド部１１Ｃの先端位置を示すもので、最終駒Ｆの後端位置を示す孔１１２より所定寸法だけ後端側に設けられている。また、孔１１５は、フィルムエンド部１１Ｃの後端位置を示すもので、上記孔１１４より所定寸法だけ後端側に設けられている。
【００４５】
なお、フィルムエンド部１１Ｃの横方向寸法は、各駒Ｆの横方向寸法より短く設定されており、孔１１４と孔１１５間の距離は、各駒Ｆに対する孔１１１と孔１１２間の距離より短くなっている。
【００４６】
上記孔１１１〜１１５は、フォトリフレクタにより検出され、該検出信号を用いてオートローディングの良否判定、各駒Ｆのフィルム画像の読取開始位置の位置出し及びフィルム１１の終端検出が行われるようになっている。オートローディングの良否判定、各駒Ｆのフィルム画像の読取開始位置の位置出し及びフィルム１１の終端検出については後述する。
【００４７】
また、各駒Ｆのフィルム画像の右下隅部の下部に当該フィルム画像の再生フォーマットを示す情報（以下、フォーマット情報という）が光学的に記録されている。この情報は、カメラによる撮影時に記録される。上記フォーマット情報は、各駒Ｆに撮影された画像のアスペクト比を指定する情報で、標準サイズ、ハイビジョンサイズ及びパノラマサイズの３種類のアスペクト比が指定されるようになっている。上記フォーマット情報は、２桁のビット情報で構成され、各ビット情報が光学的に記録されている。
【００４８】
図９は、フィルムに光学的に記録されたフォーマット情報の一例を示すもので、（ａ）はハイビジョンサイズに対するフォーマット情報が記録されたフィルムの図、（ｂ）は標準サイズに対するフォーマット情報が記録されたフィルムの図、（ｃ）はパノラマサイズに対するフォーマット情報が記録されたフィルムの図である。
【００４９】
本実施例では上記標準サイズ、ハイビジョンサイズ及びパノラマサイズに対すフォーマット情報として（０１）、（００），（１０）の２ビット情報が割り当てられ、「１」のビットをスポット露光することにより上記２ビット情報がフィルム１１に光学的に記録されている。図９においては、「１」のビットを「●」で示し、「０」のビットを「○」で示している。
【００５０】
ハイビジョンサイズの場合は、２ビット情報が（００）であるから、ハイビジョンサイズによる撮影がされた駒Ｆには光学的に記録された情報（以下、光学情報という）は存在しない（図９（ａ）、参照）。ハイビジョンサイズの撮影がされた駒Ｆは、図９（ａ）の点描で示す画像ＧＨが再生される。
【００５１】
標準サイズによる撮影がされた駒Ｆは、当該フィルム画像の横方向の両端部よりそれぞれ所定寸法ｄ１（＝５Ｌ／６４）だけ内側のアスペクト比（横／縦）＝３／２の画像（図９（ｂ）、点描で示す画像ＧＬ）が再生される。
【００５２】
また、パノラマサイズによる撮影がされた駒Ｆは、当該フィルム画像の縦方向の両端部よりそれぞれ所定寸法ｄ２（＝Ｈ／４）だけ内側のアスペクト比（横／縦）＝３／１の画像（図９（ｃ）、点描で示す画像ＧＰ）が再生される。
【００５３】
なお、上記各サイズに対する２ビット情報の割当ては上記のものに限定されるものではなく、任意の２ビット情報を適当に割り当てることができる。また、「０」のビットをスポット露光するようにしてもよく、２ビット情報の露光形式も点列に限定されるものではなく、バーコード形式で行ってもよい。
【００５４】
更に本実施例ではフォーマット情報を２ビット情報で表し、該２ビット情報を光学的に記録するようにしているが、同一マークを上記サイズに対応した異なる位置に形成したり、あるいはサイズ乃至形状の異なるマークを上記サイズに対応して形成することにより上記フォーマット情報を表すようにしてもよい。
【００５５】
図８に戻り、フィルム１１の両側縁に沿って未露光領域１１Ｄ及び各駒Ｆの両側に該未露光領域１１Ｄ及び各駒Ｆに対応して帯状の磁気記録部１１６Ａ，１１６Ｂ，１１７Ａ，１１７Ｂが設けられている。
【００５６】
フィルム１１の引出方向に対して左側に設けられた磁気記録部１１６Ａは、未露光領域１１Ｄの前端位置を示す孔１１１と後端位置を示す孔１１２間に設けられ、フィルム１１の引出方向に対して上側に設けられた磁気記録部１１７Ａは、各駒Ｆの前端位置を示す孔１１１と後端位置を示す孔１１２間に設けられている。また、フィルム１１の引出方向に対して下側に設けられた各駒Ｆに対応する磁気記録部１１７Ｂは、上記光学情報１１８に隣接して設けられている。
【００５７】
上記磁気記録部１１６Ａ，１１６Ｂにはフィルム１１に関するインデックス情報（例えば撮影枚数、撮影内容のタイトル、駒サイズ（ハーフサイズ／フルサイズ等）、フィルム画像再生装置１の光源特性（光源ランプの明るさや色バランスの特性）及び全体的な演出条件等のフィルム１１全体に関する情報（以下、リーダ部情報という））が磁気的に記録されるようになっている。
【００５８】
上記インデックス情報は、撮影時にカメラから自動的に、若しくは撮影者から手動で記録され、上記光源特性は、現像済フィルム１１がフィルム画像再生装置１により再生される際に検出され、再生処理時若しくは再生処理終了後のフィルムカートリッジ９の排出時に記録される。また、上記演出条件は、再生前の編集作業において自動的に、若しくは操作者により設定され、例えば再生処理終了後のフィルムカートリッジ９の排出時に記録される。
【００５９】
また、上記未露光領域１１Ｄの磁気記録部１１６Ａと磁気記録部１１６Ｂ間に挟まれた領域は、当該フィルム１１の未露光部分の濃度情報が取り込まれるオレンジベース撮像部１１Ｅになっている。
【００６０】
現像済みのカラーフィルムは、未露光時においても一定の濃度でオレンジ色に発色するようになっている。各駒Ｆのフィルム画像は、このオレンジ色の濃度（以下、ベース濃度という）に撮影画像に応じた濃度が加算された濃度を有している。フィルム画像を撮像して得られる画像信号を高精度で信号処理するには撮像画像の濃度からベース濃度を除去する必要があり、本実施例では各駒Ｆのフィルム画像の再生処理を行う前に上記オレンジベース撮像部１１Ｅを撮像して上記ベース濃度を取り込み、該ベース濃度に基づきＣＣＤからなる撮像素子で撮像された画像信号の補正を行うようにしている。
【００６１】
なお、上記ベース濃度は、上記オレンジベース撮像部１１Ｅ以外の未露光部分、例えば上記フィルムエンド部１１Ｃ、磁気記録部１１６Ａ，１１６Ｂ，１１７Ａ，１１７Ｂ及び駒Ｆ間の隙間等の未露光部分を撮像して取り込むようにしてもよい。
【００６２】
上記磁気記録部１１７Ａ，１１７Ｂには各駒Ｆのフィルム画像に関する固有の情報（以下、フレーム情報という）が記録されるようになっている。フレーム情報は、撮影に関する情報（以下、撮影情報という）と現像に関する情報（以下、現像情報）とからなり、上記現像情報は磁気記録部１１７Ａに記録され、上記撮影情報は磁気記録部１１７Ｂに記録されるようになっている。
【００６３】
上記撮影情報は、例えば撮影日、縦横の画面構成、露出条件及び撮影倍率等の情報を含み、撮影時にカメラから自動的に、或いは撮影者により手動で記録される。上記現像情報は、例えば露光条件やプリント枚数等を含み、現像時に記録される。
【００６４】
上記フレーム情報はフィルム画像再生装置１により修正可能で、修正されたフレーム情報は、例えば再生処理終了後のフィルムカートリッジの排出時に更新的に記録される。
【００６５】
図３は、フィルム装填部の構造を示す斜視図である。
フィルム装填部は、フィルム画像再生装置１内の上記イジェクトテーブル６の収納位置に設けられている。
【００６６】
イジェクトテーブル６のテーブル収納部１０内の下部適所にはフィルムカートリッジ９の有無を検出するカートリッジセンサ１３が設けられ、上部適所にはフィルムカートリッジ９の上端面に設けられたバーコード９４を読み取るフォトリフレクタ１４が設けられている。上記カートリッジセンサ１３の検出信号は、装置全体を統括制御する制御部４７に入力される。また、フィルム１１のオートローディング時に上記バーコード９４によるフィルム情報がフォトリフレクタ１４により読み取られ、該フィルム情報は、上記制御部４７に入力される。
【００６７】
テーブル収納部１０の横には給送ローラ対１５１，ガイドローラ１５２及びフィルム１１を巻き取る巻取スプール１５３からなるフィルム給送部１５が設けられている。また、上記フィルム給送部１５におけるフィルム１１の給送路上であって上記テーブル収納部１０の下流側の適所にフィルム１１の孔１１１〜１１５を検出するフォトリフレクタ１６、光学情報を読み取るフォトリフレクタ１７及び磁気記録部１１６Ａ，１１６Ｂ，１１７Ａ，１１７Ｂに記録されたリーダ部情報及びフレーム情報の読／書を行う磁気ヘッド１８Ａ，１８Ｂがこの順に配設されている。
【００６８】
また、磁気ヘッド１８Ａ，１８Ｂとガイドローラ１５２間に各駒Ｆのフィルム画像を照明する照明部１９が設けられている。照明部１９は、蛍光灯からなる光源１９１、該光源１９１の発光をフィルム１１に照射する反射傘１９２及び光源１９１からの発光を均一にフィルム画像に照射する拡散板１９３から構成されている。
【００６９】
上記照明部１９は、フィルム１１の給送路の巻上方向に対して右側に設けられ、該給送路の左側であって上記照明部１９に対向する位置の適所にフィルム画像の光像を撮像素子２３に導くミラー２０が設けられている。更に上記ミラー２０の反射光路上であって該ミラー２０と上記撮像装置２３間に上記フィルム画像の光像を撮像素子２３に結像するレンズ系２１と該撮像素子２３への光量を調節するアイリス２２とがこの順に設けられている。
【００７０】
上記撮像素子（撮像手段）２３は、例えばＲ，Ｇ，Ｂの色フィルタを備えた３本のＣＣＤラインイメージセンサがセンサ軸に対して直角方向に並列に配設されてなるカラーイメージセンサで構成されている。上記撮像素子２３（以下、ＣＣＤ２３という）は、投影されるフィルム画像の幅方向（図８において縦方向）に上記センサ軸を一致させて配設され、フィルム１１の給送により該フィルム１１を給送方向に相対的に走査（スキャン）して各フィルム画像を撮像する。
【００７１】
上記ＣＣＤ２３は、入射光量に比例した電荷量を蓄積することにより光像を電気信号からなる画像に変換（光電変換）する感光部、該感光部に蓄積された電荷を取り出すべく蓄積電荷を上記感光部から退避させるための転送部及び上記感光部に蓄積された不要電荷を排出する排出部を備えている。
【００７２】
ＣＣＤ２３は、感光部で入射光量に応じた電荷を蓄積（撮像）するとともに所定の周期で蓄積電荷を転送部に転送し、後段の画像処理回路（図４、参照）に撮像画像として出力する。ＣＣＤ２３は、フィルム画像をスキャンしている間に上記電荷蓄積と蓄積電荷の転送とを交互に複数回繰り返し、フィルム画像をライン単位で撮像する。
【００７３】
図１０は、ＣＣＤ２３の撮像動作を説明するための波形図で、（ａ）は感光部に蓄積された電荷の転送部への転送制御を行なう転送パルスの波形図、（ｂ）は感光部に蓄積された不要電荷の排出制御を行なうリセットパルスの波形図、（ｃ）は感光部に蓄積される蓄積電荷レベルの波形図である。
【００７４】
ＣＣＤ２３は、該ＣＣＤ２３の駆動を制御するＣＣＤドライバ３８（図４、参照）から撮像開始信号が入力されると、撮像動作を開始し、撮像停止信号が入力されると、撮像動作を停止する。撮像動作が開始されると、感光部で入射光量に応じた電荷が蓄積される。この蓄積電荷は、上記ＣＣＤドライバ３８から所定周期τで入力される転送パルスＰtに基づいて転送部に転送され、画像処理回路に画像信号として出力され、リセットパルスＰrに基づいて不要電荷が排出される。
【００７５】
上記リセットパルスＰrは転送パルスＰtより位相φだけ遅れており、転送パルスＰtにより蓄積電荷が画像信号として取り出されてからリセットパルスＰrが入力される間に感光部に蓄積された電荷は不要電荷として排出されるようになっている。そして、上記リセットパルスＰrの転送パルスＰtに対する出力タイミング（位相φ）を制御することによりＣＣＤ２３の露光期間（シャッタースピードに相当）が制御されるようになっている。
【００７６】
例えば転送パルスＰtが入力される時刻ｔ０〜ｔ２間について説明すると、時刻ｔ０で蓄積電荷が画像信号として取り出されると、感光部で新たに入射光量に応じた電荷が蓄積され、感光部の蓄積電荷レベルは、電荷蓄積量に比例して上昇する。この蓄積電荷レベルの上昇勾配θは入射光の強度に比例し、強度が大きいほど、上昇勾配θは大きくなる。
【００７７】
時刻ｔ０から位相φだけ遅れた時刻ｔ１でリセットパルスＰrが入力されると、時刻ｔ０から時刻ｔ１間に蓄積された電荷（図１０（ｃ）、小三角形で囲まれた部分の面積Ｓ１に相当）は、不要電荷として排出され、時刻ｔ１から感光部で新たに電荷が蓄積される。そして、時刻ｔ０から所定周期τ経過後の時刻ｔ２で次の転送パルスＰtが入力されると、時刻ｔ１から時刻ｔ２間に蓄積された電荷（図１０（ｃ）、大三角形で囲まれた部分の面積Ｓ２に相当）が転送部に転送され、画像信号として取り出される。
【００７８】
従って、感光部における時刻ｔ０から時刻ｔ２間の受光期間τの内、時刻ｔ１と時刻ｔ２間の期間Ｔv（＝τ−φ）が実質的なＣＣＤ２３の露光期間となり、フィルム画像の撮像期間となる。そして、上記露光期間Ｔvは、通常のカメラのシャッタースピードに相当し、図１０から明らかなように、位相φを制御することにより各フィルム画像の露光期間Ｔvを制御することができる。すなわち、上記位相φを大きくするほど、露光期間Ｔvは短くなり、シャッタースピードは早くなる。
【００７９】
図４は、本発明に係るフィルム画像再生装置の制御系のブロック図である。
同図において、図３に示す部材と同一部材には同一番号を付している。
【００８０】
アイリスドライバ３７はアイリス２２の開閉駆動を制御するドライブ回路、ＣＣＤドライバ３８はＣＣＤ２３の撮像及び撮像画像を構成する画像信号の読出を制御するドライブ回路である。
【００８１】
アナログ処理部２４は、ＣＤＳ（Correlative Double Sampling)回路、アナログアンプ、及びホワイトバランス（ＷＢ）回路等の信号処理回路を含み、ＣＣＤ２３から出力されるＲ，Ｇ，Ｂの各色の画像信号（アナログ信号）に所定の信号処理を施すものである。
【００８２】
上記アナログ処理部１４においては、Ｒ，Ｇ，Ｂの各色の画像信号はＣＤＳ回路によりノイズが抑圧された後、アナログアンプで所定レベルに増幅され、更にＷＢ回路により画像信号のホワイトバランスが自動調整される。ＷＢ回路は、Ｒ，Ｇ，Ｂの各色の画像信号に対して３個のアンプを備え、Ｇの色の画像信号のレベルを基準にＲ，Ｂの各色の画像信号のレベルを補正することにより画像信号のホワイトバランスを調整する。
【００８３】
ＷＢ調整値（Ｒ，Ｂの各色の画像信号に対するアンプのゲインＧＲ，ＧＢ）は、後述する自動露光（ＡＥ（Auto Exposure））・ホワイトバランス（ＡＷＢ（Auto White Balance））演算回路３９（以下、ＡＥ・ＡＷＢ演算回路３９という）により演算され、画像信号の上記ＷＢ回路への入力に同期してＷＢ回路に入力されるようになっている。
【００８４】
Ａ／Ｄコンバータ２５は、アナログの画像信号をデジタルの画像信号（以下、画像データという）に変換する回路である。Ａ／Ｄコンバータ２５は、シリアルに入力されるＲ，Ｇ，Ｂの各色の画像信号をデジタルに変換し、Ａ／Ｄコンバータ２５からのＲ，Ｇ，Ｂ信号の各々一部を取り込み、Ｒ，Ｇ，Ｂ信号をパラレル出力するように構成されている。
【００８５】
ＡＥ・ＡＷＢ演算回路３９は、フィルム画像の撮像に際し、露出値（絞り値Ａv，シャッタースピードＴv）、アナログ処理部２４内のアナログアンプのゲイン及びＷＢ回路のＷＢ調整値を演算し、その演算結果をそれぞれアイリスドライバ３７、ＣＣＤドライバ３８及びアナログ処理部２４に出力するものである。Ｒ，Ｇ，Ｂ信号の一部を取り込む理由は、全Ｒ，Ｇ，Ｂ信号を露出演算のために取り込むと、メモリの容量が大きくなるためである。
【００８６】
第１プロセス部２６は、γ補正回路及び色差マトリックス回路を含み、Ａ／Ｄコンバータ２５から入力されるＲ，Ｇ，Ｂの各色の画像信号のγ補正を行うとともに、Ｒ，Ｇ，Ｂの各色の画像信号を輝度信号（Ｙ信号）及びクロマ信号（Ｃ信号）からなる画像信号に変換するものである。
【００８７】
第１画像メモリ２７は、第１プロセス部２６から出力される画像信号を記憶する画像メモリである。第１画像メモリ２７は、少なくとも撮像画像１枚分の容量を有し、再生処理においては、ＣＣＤ２３により撮像された各フィルム画像が順次、第１画像メモリ２７に更新的に記憶される。
【００８８】
また、フィルム画像再生装置１は、編集作業や再生駒の検索作業の操作性を考慮し、全駒Ｆのフィルム画像を所定の配列パターンで２次元配列してなる画像（以下、マルチ画像という）にしてモニタＴＶ２に再生表示するマルチ表示機能を有している。マルチ画像における各駒Ｆの画像は、再生画像に比してサイズが小さくなるので、マルチ画像用の撮像においては、通常の再生処理における撮像処理と異なる撮像処理が行なわれ、撮像された画像データは間引処理により所定のサイズに縮小されて上記第１画像メモリ２７に記憶される。
【００８９】
図１１は、マルチ画像用に縮小された画像（以下、縮小画像という）の作成方法を示す図で、（ａ）は元のフィルム画像を示す図、（ｂ）はマルチ画像用に撮像された画像を示す図、（ｃ）は縮小画像を示す図である。
【００９０】
マルチ画像用の撮像においては、フィルム画像を飛越スキャンして当該フィルム画像を構成する画素データ（ＣＣＤ２３を構成する各画素で得られるデータ）の一部が取り込まれる。これは、マルチ画像を構成する各駒Ｆの画像は、正規の再生画像よりもサイズが小さく、高画質が要求されないことから、必ずしもフィルム画像を構成する全画素データを必要としないことに基づくものである。
【００９１】
上記飛越スキャンは、画像を取り込むべきライン位置のみ通常再生時のスキャン速度（以下、本スキャン速度という）でスキャンし、これ以外のライン位置は通常再生時のスキャン速度よりも高速でスキャンするものである。例えば先頭ラインから第１ライン，第２ライン，第３ライン，…とし、６の整数倍のライン位置である第６ｋ（k=1,2,…）ラインのライン位置のみ撮像し、高速で飛び越すようにすると、マルチ画像用の撮像時のスキャン速度は本スキャン速度の略６倍になり、撮像画像Ｇ′は、元のフィルム画像Ｇ（図１１（ａ）、参照）に対してフィルム１１の給送方向に縮小される（同図（ｂ）、参照）。この縮小率（Ｌ′／Ｌ）はフィルム１１の給送速度に略反比例し、略１／６となる。
【００９２】
上記撮像画像Ｇ′は、上記第１プロセス回路２６から第１画像メモリ２７に記憶される際、更に縦方向（フィルム１１の幅方向）にも所要の縮小率（Ｈ′／Ｈ）に基づき所定ピッチで撮像画像Ｇ′を構成するデータの間引処理が行われ、第１画メモリ２７には、同図１１（ｃ）に示すように縮小画像Ｇ″が記憶される。
【００９３】
なお、上記撮像画像Ｇ′を構成するデータの間引処理は、アドレスコントローラ４１により第１画像メモリ２７における各データの格納アドレスを制御することにより行われる。
【００９４】
演出制御回路２８は、上記第１画像メモリ２７から撮像画像を読み出し、該撮像画像に制御部４７から入力された、例えば縦横変換、天地変換、フェードイン／フェードアウト、ズーミング、パンニング及びクリッピング等の再生に関する演出条件に基づく所定の画像処理を施し、再生画像を生成するものである。
【００９５】
例えば制御部４７から画面の縦横変換の演出条件が入力されていると、演出制御回路２８は、当該演出条件に基づき第１画像メモリ２７に記憶された横画面の撮像画像を縦画面に変換して読み出し、この画像を第２画像メモリ２９に記憶する。また、制御部４７からズーミングの演出条件が入力されていると、当該演出条件に基づき第１画像メモリ２７に記憶された撮像画像内のズーミング領域にある一部画像を読み出すとともに、該一部画像を所定の倍率で拡大して再生画像を生成し、この再生画像を第２画像メモリ２９に記憶する。
【００９６】
第２画像メモリ２９は、上記演出制御回路２８から出力される再生画像を記憶するメモリで、モニタＴＶ２に対するバッファメモリとなっている。第２画像メモリ２９は、記憶された再生画像を構成するデータをテレビジョンの走査レートに基づいて読み出すことができるようになっている。
【００９７】
第２プロセス部３０は、輝度信号（Ｙ信号）及びクロマ信号（Ｃ信号）からなる画像信号をＮＴＳＣ（National Television System Committee）信号に変換するものである。第２プロセス部３０は、上記第２画像メモリ２９から読み出されたＹ信号及びＣ信号からなる再生画像をＮＴＳＣ信号からなる再生画像に変換し、映像信号用のケーブルＫ１を介してモニタＴＶ２に送出する。また、第２プロセス部３０は、スーパーインポーズ部４６から撮影日や駒番号等の文字情報が入力されると、該文字情報と上記画像信号とを合成し、再生画面の所定位置に上記文字情報が重畳された画像を生成した後、ＮＴＳＣ信号に変換し、このＮＴＳＣ信号をモニタＴＶ２に送出する。
【００９８】
フィルム給送ドライバ３１は、給送ローラ対１５１の駆動源であるモータＭの駆動を制御するドライブ回路である。光源制御部３２は、照明部１９の駆動を制御するものである。光源駆動部３２は、光源ヒータ１９４の駆動を制御するヒータ制御回路と、光源１９１の駆動及び発光量を制御する光源制御回路とを備えている。なお、照明部１９に周囲温度を検出する温度センサを設け、発光量と周囲温度とに基づいて照明部１９の駆動を制御するようにすれば、より好適な制御が可能になる。
【００９９】
磁気情報読書制御部３３は、フィルム１１の磁気記録部１１６Ａ，１１６Ｂ，１１７Ａ，１１７Ｂへの磁気情報の読込み及び書込みを制御するものである。光学情報読取部３４は、フィルム１１の各駒Ｆに光学的に記録されたフォーマット情報を読み込むものである。光学情報読取部３４は、フォトリフレクタ１８の検出信号から上記フォーマット情報を判別し、この判別結果を制御部４７に出力する。
【０１００】
ローディング検出部３５は、フィルム収納部１０に装填されたフィルムカートリッジ９がローディングされているか否かを検出するものである。
【０１０１】
ローディング検出部３５は、フォトリフレクタ１６の検出信号から先頭駒Ｆの先端を示す孔１１１を検出することによりローディングが正常に行われた否かを判別し、この判別結果を制御部４７に出力する。なお、本実施例ではフォトリフレクタ１６の検出信号を用いてフィルムのローディングを検出するようにしているが、巻取スプール１５３にフィルム１１が巻き付けられたことを検出するセンサを設け、該センサの検出信号によりフィルムのローディングを検出するようにしてもよい。あるいはフィルムカートリッジ装填後のフィルム１１の最初の給送時の給送量をモータＭの駆動量から検出し、該給送量からフィルムのローディングを検出するようにしてもよい。
【０１０２】
駒位置検出部３６は、各駒Ｆのフィルム画像の読取開始位置及び読取停止位置並びにフィルム１１の終端位置を検出するものである。駒位置検出部３６は、上記フィルム１１の終端位置を検出するためのタイマ３６１とメモリ３６２とを備えている。上記画像読取の開始位置及び停止位置の検出は、フォトリフレクタ１６の検出信号から各駒Ｆの先端位置及び後端位置を検出することにより行われる。
【０１０３】
また、上記フィルム１１の終端位置の検出は、フォトリフレクタ１６の検出信号から孔１１５を検出することにより行われる。具体的にはフィルムエンド部１１Ｃの先端位置を示す孔１１４と後端位置を示す孔１１５間の距離が各駒Ｆの先端位置を示す孔１１１と後端位置を示す孔１１２間の距離よりも短いことから、各駒毎に先端位置から後端位置までのスキャン時間をカウントし、スキャン時間が前回のスキャン時間よりも短いとき、孔１１５（フィルムエンド部１１Ｃの後端位置）が検出されたと判別するようにしている。なお、フィルム１１の終端位置の検出の詳細は後述する。
【０１０４】
タイミングジェネレータ４０は、第１プロセス部２６、演出制御回路２８、フィルム給送ドライバ３１及びＡＥ・ＡＷＢ演算回路３９等の各部のタイミング信号を生成するものである。タイミングジェネレータ４０は、基準クロック発生回路４２から発生されるシステムの基準クロックに基づいて上記タイミング信号を生成する。
【０１０５】
アドレスコントローラ４１は、上記第１画像メモリ２７及び第２画像メモリ２９に記憶される画像データのアドレスを制御するものである。アドレスコントローラ４１は、制御部４７から入力される制御信号に基づき撮像画像を構成するデータの格納アドレスを演算し、この演算結果を第１画像メモリ２７及び第２画像メモリ２９に出力する。また、アドレスコントローラ４１は、制御部４７から入力される読出タイミングに基づき第２画像メモリ２９に記憶された再生画像の読出しを制御する。
【０１０６】
データメモリ４３は、タイトル画像等の予め作成された所定の画像が記憶されたメモリである。また、データメモリ４３は、読書可能な記憶領域を有し、該記憶領域にフィルム１１から読み出された磁気情報が記憶されるようになっている。フィルム画像再生装置１により磁気情報が修正されると、修正された内容がデータメモリ４３に更新的に記憶され、この修正された最新の磁気情報は、所定のタイミングでフィルム１１の磁気記録部１１６Ａ，１１６Ｂ，１１７Ａ，１１７Ｂに更新的に記録される。フィルム１１への磁気情報の記録タイミングについては後述する。
【０１０７】
ＡＰＯ（Auto Power Off）タイマ４４は、図１２に示す「ＡＰＯシーケンス」のフローチャートにより制御され、所定時間以上再生処理に関する動作が行われないとき、自動的に電源スイッチ８０１をオフにするためのタイマである。
【０１０８】
「ＡＰＯシーケンス」は、操作部８からの指示に基づく一定の処理が終了すると、実行され、まず、ＡＰＯタイマ４４による所定時間のカウントが開始される（＃５０１）。操作パネル１０１のいずれのスイッチも操作されることなくＡＰＯタイマ４４による所定時間のカウントが終了すると（＃５０３でＹＥＳ）、後述する「終了シーケンス」のフローチャートに従って所定の終了処理が行なわれる（＃５０９）。
【０１０９】
ＡＰＯタイマ４４による所定時間のカウント中にいずれかのスイッチ操作があると（＃５０５でＹＥＳ）、このスイッチ操作が電源スイッチ８０１又はイジェクトスイッチ８０３によるものか否かの判別が行なわれ（＃５０７）、電源スイッチ８０１又はイジェクトスイッチ８０３が操作されたものであれば（＃５０７でＹＥＳ）、＃５０９に移行し、所定の終了処理が行なわれる。一方、電源スイッチ８０１又はイジェクトスイッチ８０３以外のスイッチが操作されたものであれば（＃５０７でＮＯ）、ＡＰＯスイッチ４４のカウント動作が停止されるとともに、カウント値がリセットされた後（＃５１１）、制御フローチャートにおける操作されたスイッチの指示に対応する所定のステップに移行し、当該指示内容に対する所定の処理が行なわれる。
【０１１０】
図４に戻り、電源部４５は、フィルム画像再生装置１内の各回路に所要の電源を供給するものである。電源部４５は、交流電源の供給を検出する検出回路を有し、電源プラグＫ３がコンセントに接続され、交流電源が供給されると、この検出信号を制御部４７に送出する。制御部４７は、上記検出信号により電源プラグＫ３がコンセントに接続されたことを認識し、所定の初期化処理を行ってスタンバイ状態に入る。
【０１１１】
スーパーインポーズ部４６は、再生画像に重畳させるスーパーインポーズ用のデータを生成するものである。スーパーインポーズ部４６は、制御部４７から重畳すべき文字情報が入力されると、該文字情報をスーパーインポーズ用のデータに変換し、所定のタイミングで第２プロセス部３０に出力する。
【０１１２】
制御部（撮像制御手段）４７は、フィルム画像再生装置全体の動作を集中制御する制御部である。制御部４７は、内蔵のＲＯＭ（Read Only Memory）に予め記憶されたフィルム画像の撮像／再生に関する処理プログラムに従って上記各構成部材の駆動を制御する。
【０１１３】
次に、図１３〜図３４のフローチャート及び図面を用いて本発明に係るフィルム画像再生装置の再生動作について説明する。
【０１１４】
図１３〜図１８は、フィルム画像再生装置１の電源スイッチ８０１が投入されときに行われる初期化処理（イニシャライズ）のフローチャートである。
【０１１５】
電源プラグＫ３がコンセントに差し込まれ、交流電源が供給されると、これが検知され（＃１）、まず、光源ヒータ１９４がＯＮになる（＃３）。続いて、操作者により電源スイッチ８０１がＯＮにされると（＃５）、ＣＣＤ２３の予備駆動が行われ（＃７）、電源ランプ８０２が点灯される（＃９）。上記予備駆動は、ＣＣＤ２３の駆動開始直後に生じる暗出力のレベル変動の影響を抑制するため、本来の撮像動作が行なわれる前に予備的に駆動するものである。
【０１１６】
なお、フィルム画像再生装置１にモニタＴＶ２が接続され、該モニタＴＶ２が既に起動されていれば、例えばモニタＴＶ２の表示画面３全体をブルーバック等にしてモニタＴＶ２にもフィルム画像再生装置１の電源ＯＮの表示が行われる。
【０１１７】
続いて、撮像画像を構成する画素データの暗出力レベルの補正データとして暗時のＣＣＤ２３の各画素の出力信号（以下、暗出力データという）が取り込まれ、ＡＥ・ＡＷＢ演算回路３９内のメモリに記憶された後（＃１１）、光源１９１が発光される（＃１３）。なお、上記光源１９１は、＃１〜＃１１の処理の終了後に自動的に発光させているが、光源スイッチ（不図示）を別に設け、該光源スイッチをＯＮにする等の操作者の操作に基づいて行わせるようにしてもよい。
【０１１８】
続いて、フィルムカートリッジ９がフィルム収納部１０に装填されているか否かが判別され（＃１５）、フィルムカートリッジ９が装填されていなければ（＃１５でＮＯ）、未装填メッセージが出力されるとともに、イジェクトテーブル６がフィルム収納部１０から引き出されて装填口が開口され、フィルムカートリッジ９がセットされるまで待機状態となる（＃１７〜＃２１）。
【０１１９】
上記未装填メッセージは、例えば表示部７の表示領域７０３若しくはモニタＴＶ２に、図２８（ａ）に示すフィルムマークＦＭを点滅させたり、上記表示領域７０３に未装填マークを別個に設け、該未装填マークを点灯させることにより行われる。なお、モニタＴＶ２の表示画面３に未装填メッセージを文字表示させ、スピーカ４から「フィルムカートリッジをお入れ下さい。」等の音声メッセージを発生させるようにしてもよい。
【０１２０】
続いて、フィルム収納部１０にフィルムカートリッジ９がセットされると（＃２１でＹＥＳ）、フィルムカートリッジ９及びフィルム１１の適合性（正常に再生できるものであるか否か）の判別が行われる（＃２３、＃２９）。
【０１２１】
フィルムカートリッジ９の適合性は、例えばカートリッジ規格に合っているか、現像済フィルムが収納されているか（フィルムカートリッジ９の合わせマーク９３が「ＰＲＯＣＥＳＳＥＤ」にセットされているか）、異物の混入の有無等のチェックにより判別される。
【０１２２】
フィルムカートリッジ９が適合していれば（＃２３でＹＥＳ）、フィルム巻上の表示が行われた後、フィルムカートリッジ９のバーコード９４に記録されたフィルム情報が読み込まれ（＃２５，＃２７）、フィルム情報からフィルム１１の適合性が判別される（＃２９）。なお、フィルム１１の適合性は、フィルム感度、フィルムの種類（ネガ／ポジ）、フィルムの規格等をチェックすることにより行われる。
【０１２３】
フィルムカートリッジ９又はフィルム１１が不適合であれば（＃２３又は＃２９でＮＯ）、フィルムカートリッジ９がフィルム収納部１０から排出され（＃３１）、フィルムカートリッジ９又はフィルム１１の不適合メッセージが行われる（＃３３）。
【０１２４】
不適合メッセージは、例えば表示部７の表示領域７０３若しくはモニタＴＶ２に、上記フィルムマークＦＭ（図２８（ａ）参照）を点滅させるとともに、表示領域７０４，７０５にエラーコードを表示させたり、上記表示領域７０３に不適合マークを別個に設け、該不適合マークを点灯させることにより行われる。なお、モニタＴＶ２の表示画面３に不適合メッセージを文字表示させ、スピーカ４から「このカートリッジは再生できません。」等の音声メッセージを発生させるようにしてもよい。
【０１２５】
フィルムカートリッジ９及びフィルム１１が適合していれば（＃２９でＹＥＳ）、当該フィルムカートリッジ９の遮光蓋９８を開き、後述のサブルーチン「リーダ部情報読取」に従ってリーダ部情報の読取処理が行われる（＃３５，＃３７，＃３９）。なお、フィルムカートリッジ９が装填された状態で電源が切られ、電源が再投入されたとき、フィルムカートリッジ９が既に装填されている場合は、フィルム１１がローディングされ、上記遮光蓋９８は既に開いているので、上記遮光蓋９８の開放処理を行うことなくリーダ部情報の読取処理が行われる（＃３５，＃３９）。
【０１２６】
電源投入時にフィルムカートリッジ９が装填されていれば（＃１５でＹＥＳ）、ローディング済みであるか（フィルム１１が画像撮像部１１Ｂまで引き出されているか）否かが判別され（＃４１）、ローディング済みであれば（＃４１でＹＥＳ）、フィルム巻戻表示が行われ、給送モータＭを高速で逆方向（フィルム１１の巻戻方向）に回転駆動させてフィルム１１がフィルムリーダ部１１Ａの終端位置まで（孔１１３が検出されるまで）巻き戻される（＃４３，＃４５）。フィルム巻戻表示は、例えば表示部７の表示領域７０３及びモニタＴＶ２に、図２８（ｃ）に示す巻戻マークＦＲを表示して行われる。
【０１２７】
続いて、前回のフィルム１１のローディング時にフィルムカートリッジ９の読み取られたフィルム情報がデータメモリ４３に格納されているか否かが判別され（＃４７）、フィルム情報がデータメモリ４３に格納されていなければ（＃４７でＮＯ）、＃２３〜＃３９の処理を実行してフィルム情報の読取処理が行われ、フィルム情報が既にデータメモリ４３に格納されていれば（＃４７でＹＥＳ）、＃２３〜＃３９の処理を行うことなく（フィルム情報の読取処理を行うことなく）、＃４９（図１４、参照）に移行する。
【０１２８】
ここで、リーダ部情報の読取処理について説明する。
図１９は、サブルーチン「リーダ部情報読取」のフローチャートである。
【０１２９】
サブルーチン「リーダ部情報読取」がコールされると、給送モータＭの低速正転駆動（低速度でのフィルム１１の巻上げ）が開始されるとともに（＃１４１）、制御部４７内のタイマＴ１により所定時間ｔ１のカウントが開始される（＃１４３，＃１４５）。このタイマＴ１による所定時間ｔ１のカウントは、該所定時間内にローディングが完了するか否かによりローディングの良否を判定するためのものである。
【０１３０】
上記所定時間ｔ１内にローディング検出部３５によりフィルム１１のローディングが検出されると（＃１４７でＹＥＳ）、タイマＴ１がリセットされ（＃１４９）、給送モータＭの駆動が停止される（＃１５１）。
【０１３１】
続いて、磁気ヘッド１８Ａ，１８Ｂが読取位置にセットされた後（＃１５３）、フィルム１１を低速度で巻き戻してフィルムリーダ部１１Ａの磁気記録部１１６Ａ，１１６Ｂに記録されたリーダ部情報が読み取られる（＃１５７，＃１５９）。
【０１３２】
すなわち、フィルム１１を未露光領域１１Ｅの先端位置を示す孔１１１が検出されるまで低速度で巻き戻しながら上記磁気記録部１１６Ａ，１１６Ｂに記録されたリーダ部情報が磁気情報読書制御部３３により読み取られる。読み取られたリーダ部情報は、制御部４７を介してデータメモリ４３に記憶される。なお、リーダ部情報を巻き戻しながら読み取る理由は、フィルムを繰り出しながらリーダ部情報を読み取る場合に比して平面性を出しやすく、安定した情報読取が可能となるからである。
【０１３３】
そして、リーダ部情報の読取が完了すると（＃１５９でＹＥＳ）、給送モータＭの駆動が停止され（＃１６１）、磁気ヘッド１８Ａ，１８Ｂが退避位置にリセットされた後（＃１６３）、リターンする。
【０１３４】
上記所定時間ｔ１内にローディング検出部３５によりフィルム１１のローディングが検出されなければ（＃１６５でＮＯ）、ローディング不良と判断して、「イニシャルＮＧ」のフローチャートに従って初期化不良処理が行われる（＃１６７）。
【０１３５】
図２０は、「イニシャルＮＧ」のフローチャートである。
「イニシャルＮＧ」のフローに移行すると、フィルム１１が低速度でフィルムカートリッジ９内に巻き戻され、この巻戻期間中に表示部７の表示領域７０３にローディングが失敗したことを示す警告表示が行われる（＃１７１〜＃１７７）。上記警告表示は、例えばフィルム画像再生装置１の表示部７の表示領域７０３のフィルムマークＦＭ（図２８（ａ）参照）を点滅させて行なわれる。
【０１３６】
続いて、操作者によりフィルムカートリッジ９の排出指示又は当該フィルムカートリッジ９の再生指示（イジェクトスイッチ８０３又は再生スイッチ８１６をＯＮ）が行われたか否かが判別され（＃１７９，＃１８５）、再生指示が行われると（＃１８５でＹＥＳ）、後述するフィルム画像の再生処理が行われる（＃１８７）。
【０１３７】
一方、フィルムカートリッジ９の排出指示が行われていれば（＃１７９でＹＥＳ）、更にリーダ部情報の読取が行われているか否かが判別される（＃１８１）。リーダ部情報を巻き戻しながら読み取った後のローディング時にローディング不良となった場合のように、リーダ部情報が読み取られていれば（＃１８１でＹＥＳ）、データメモリ４３に格納されたリーダ部情報が消去された後（＃１８３）、＃１７（図１３、参照）に戻り、リーダ部情報が読み取られていなければ（＃１８１でＮＯ）、データメモリ４３のリーダ部情報を消去することなく＃１７に戻る。
【０１３８】
なお、＃１８３でデータメモリ４３に格納されたリーダ部情報を消去しているのは、当該リーダ部情報が利用されず、＃１７に戻り、再度、フィルムカートリッジ９が装填されてリーダ部情報が読み取られる可能性が高いと考えられるからである。
【０１３９】
図１４に戻り、リーダ部情報読取処理が終了すると、再度、フィルム１１のローディングが行われ（＃４９〜＃６１）、このローディング処理の期間中にベース濃度が取り込まれ、該ベース濃度、読み込まれた暗出力データ（＃１１）及びリーダ部情報（＃３９）に基づいて撮像画像の信号処理における補正値の演算が行われ（＃５７）、更にアイリス２２が予め設定された所定の絞り値（初期設定値）に設定される（＃５９）。
【０１４０】
上記撮像画像の信号処理における補正は、例えば光源の光量変動に対するレベル補正、シェーディング補正、画素間の感度バラツキ補正及びフィルムベースの色補正（撮像画像の濃度からベース濃度を除去する補正）等である。上記レベル補正、シェーディング補正及び感度バラツキ補正は、アナログ処理部２４における信号処理において行われ、ＡＥ・ＡＷＢ演算回路３９により上記各補正の補正値が演算され、この演算結果がアナログ処理部２４にセットされる。
【０１４１】
また、フィルムベースの色補正は、Ａ／Ｄコンバータの信号変換処理において行われ、ＡＥ・ＡＷＢ演算回路３９により上記ベース濃度に基づいてＡ／Ｄコンバータ２５のダイナミックレンジが演算され、この演算結果がＡ／Ｄコンバータ２５のセットされる。
【０１４２】
なお、所定時間ｔ１内にフィルム１１のローディングが行われなければ（＃６３でＹＥＳ）、リーダ部情報読取処理と同様にローディング不良と判断して上述の「イニシャルＮＧ」の処理が行われる（＃６５）。
【０１４３】
フィルム１１のローディングが正常に行われると（＃６１でＹＥＳ）、＃６７（図１５、参照）に移行し、フィルム１１が高速度で最終駒Ｆまで巻き上げられ（給送モータＭの高速正転駆動）、フィルム１１の磁気記録部１１７Ａ，１１７Ｂに記録されたフレーム情報及び光学情報１１８が読み取られる（＃６７〜＃７３）。続いて、読み取られたフレーム情報から未露光の駒Ｆが抽出され、この未露光駒の情報は、再生不要な駒情報としてデータメモリ４３に記憶される（＃７５）。
【０１４４】
続いて、フィルムエンド部１１Ｃにおいてベース濃度が読み込まれ、該ベース濃度を所定の基準ベース濃度と比較することにより光源の光量のチェックが行われる（＃８１〜＃８３）。この光源の光量チェックは、予め設定された所定時間ｔ２内で複数回行われ（＃７７〜＃８３のループ）、いずれのチェックにおいても上記ベース濃度と基準ベース濃度との差（濃度差）（＝｜検出ベース濃度−基準ベース濃度｜）が所定の範囲εよりも大きい場合は（＃８３でＹＥＳ）、光源の光量異常と判断して光源異常警告が行われた後（＃８５）、図２４に示す「終了シーケンス」のフローチャートに従って終了処理が行われる。
【０１４５】
上記光源異常警告は、例えばフィルム画像再生装置１の表示部７の表示領域７０７，７０５にエラーコードを表示することにより行われる。また、モニタＴＶ２に光源異常のメッセージを表示させ、スピーカ４から光源異常の音声メッセージを発生させて行なわれる。
【０１４６】
ここで、終了処理について説明する。
「終了シーケンス」のフローチャートに移行すると、「電源 ＯＦＦ」のメッセージが出力される（＃３２１）。本メッセージは、例えばモニタＴＶ２の表示画面３にフィルムの巻戻表示をしたり、スピーカ４から「電源を切ります」等の音声を発したり、フィルム画像再生装置１の電源ランプ８０２を点滅させて行われる。
【０１４７】
続いて、光源がＯＦＦにされ（＃３２３）、フィルム１１がフレーム情報を書き直す必要のある駒Ｆの内、最後尾にある駒Ｆまで高速で給送される（＃３２５）。なお、このフィルム給送期間においては、フィルム巻上中又はフィルム巻戻中の表示が行われる。この表示は、フィルム画像再生装置１の表示領域７０３若しくはモニタＴＶ２に、例えば図２８（ｂ）（ｃ）に示す巻戻マークＦＲ又は早送マークＦＦを表示して行われる。
【０１４８】
続いて、フィルム１１が高速で巻き戻され、この巻戻中にフレーム情報を書き直す必要のある駒Ｆを検出し、当該駒Ｆに対応する磁気記録部１１７Ａ，１１７Ｂのフレーム情報だけが書き換えられる（＃３２７〜＃３３３）。フレーム情報の書換が終了すると（＃３３３でＹＥＳ）、引き続きリーダ部情報がフィルムリーダ部１１Ａの磁気記録部１１６Ａ，１１６Ｂに記録され（＃３３５）、フィルム１１がフィルムカートリッジ９内に完全に収納されると、巻戻処理が停止される（＃３３７）。
【０１４９】
続いて、フィルムカートリッジ９の遮光蓋９８が閉じられ（＃３３９）、合わせマーク９３が所定の位置（「ＥＸＰＯＳＥＤ」の位置）にセットされた後（＃３４１）、イジェクトスイッチ８０３の指示による終了処理であるか否かが判別される（＃３４３）。合わせマーク９３を「ＥＸＰＯＳＥＤ」の位置にセットするのは、フィルムカートリッジ９を取り出した後、再度装填するときに現像済フィルムでないと判別され、再生不可とならないようにするためである。
【０１５０】
なお、上記合わせマーク９３のセットは、特開平５−３１３２３４号公報に示されるように、フィルム１１の巻戻時にバーコード９４のコードをフォトリフレクタ１４により検出し、フィルム１１がフィルムカートリッジ９に収納された後、該フィルム１１の使用状態に対応したコードの信号パターンが検出された時点でスプール９１の回転駆動を停止させることにより行なわれる。
【０１５１】
イジェクトスイッチ８０３の指示によるものでなければ（＃３４３でＮＯ）、電源スイッチ８０２をＯＦＦにして処理を終了する（＃３４５）。一方、イジェクトスイッチ８０３の指示によるものであれば（＃３４３でＹＥＳ）、フィルムカートリッジ９がフィルム装填部１２から排出される（＃３４７）。なお、この排出処理の間においてもフィルム排出中を示す表示がフィルム画像再生装置１及びモニタＴＶ２に行われる。
【０１５２】
続いて、ＡＰＯタイマ４４がリセットされた後、スタートされる（＃３４９）。そして、ＡＰＯタイマ４４がカウントアップする前に新たにフィルムカートリッジ９が装填されると（＃３５３でＹＥＳ）、ＡＰＯタイマ４４のカウント動作が停止されるとともに、カウント値がリセットされた後（＃３５５）、＃２３（図１３、参照）に移行し、当該フィルムカートリッジ９についてイニシャライズの処理が行われる。一方、新たにフィルムカートリッジ９が装填されることなくＡＰＯタイマ４４がカウントアップすると（＃３５１でＹＥＳ）、給送口９９を閉じた後（＃３５２）、＃３４５に移行し、電源スイッチ８０２をＯＦＦにして処理を終了する。
【０１５３】
図１５に戻り、濃度差（＝｜検出ベース濃度−基準ベース濃度｜）が所定範囲ε内であれば（＃８３）、光源の発光量は正常であると判断し、更に光源チェック用に取り込まれたベース濃度（＃７７参照）とローディング時に取り込まれたベース濃度（＃５５参照）とに差があるか否かが判別され（＃８７）、ベース濃度に差が生じていれば（＃８７でＹＥＳ）、光源チェック用に取り込まれたベース濃度に基づき画像信号の信号処理における補正値が再度、演算される（＃８９）。この補正値演算の処理内容は、＃５７における処理内容と同じである。なお、ベース濃度に差が生じていなければ（＃８７でＮＯ）、上記補正値の演算処理は行われない。
【０１５４】
続いて、ベース濃度及び露出に関する情報がデータメモリ４３に記録されているか否が判別される（図１６、＃９１）。ベース濃度等が記録済みでなければ（＃９１でＮＯ）、＃９３〜＃１１１の処理により各駒Ｆのフィルム画像が最終駒Ｆから先頭駒Ｆの方向に順次、マルチ画像用の撮像方法で撮像され（縮小画像で取り込まれ）（＃９９）、この撮像画像がモニタＴＶ２に逐次、再生されるととともに（＃１０５）、この撮像画像から本再生時の撮像のための露出値（シャッタースピードＴｖ）とＷＢ調整値（Ｒ，Ｂの色のアンプゲインＧＲ，ＧＢ）とが演算され（＃１０１）、該演算結果がフィルム１１の磁気記録部１１７Ａ，１１７Ｂに逐次、記録される（＃１１１）。
【０１５５】
そして、先頭駒Ｆのフィルム画像に対する上記露出値及びＷＢ調整値の記録が終了すると（＃１１１でＹＥＳ）、フィルムリーダ部１１Ａの磁気記録部１１６Ａ，１１６Ｂにベース濃度等の情報の記録を行ない（＃１１３）、給送モータＭの逆転駆動（フィルム１１の巻戻し）が停止され（＃１１５）、初期化処理は終了する。
【０１５６】
なお、上記露出値及びＷＢ調整値は、下記数１により演算され、この演算結果Ｔｖ０，ＧＲ０，ＧＢ０がフィルム１１に記録される。
【０１５７】
【数１】
露出値（露光時間）Ｔｖ０＝Ａ／Ｇ０
Ｒの色のＷＢゲインＧＲ０＝Ｇ０／Ｒ０
Ｂの色のＷＢゲインＧＢ０＝Ｇ０／Ｂ０
但し、Ａ：定数
Ｇ０：Ｇの色のベース濃度の平均値
Ｂ０：Ｂの色のベース濃度の平均値。
【０１５８】
また、上記各駒Ｆの撮像画像は、撮像毎に現在再生されているマルチ画像に追加されて再生される。
【０１５９】
図２９は、モニタＴＶ２に表示されたマルチ画像の表示例を示すものである。
同図は、２４駒のフィルム画像Ｇ１〜Ｇ２４を４行６列の配列パターンでマルチ表示させるようにしたもので、９駒分のフィルム画像Ｇ２４〜Ｇ１６が読み取られたときのマルチ画像の表示例である。最終駒Ｆから先頭駒Ｆの方向にフィルム画像が読み取られているので、各フィルム画像Ｇ２４〜Ｇ１６は、それぞれ（１，１），（１，２），…，（２，３）の位置に配列されている。
【０１６０】
１０番目以降のフィルムＧ１５，Ｇ１４，…は、撮像される毎に、図２９に示すマルチ画像の（２，４），（２，５），…の位置に順次、配列されてモニタＴＶ２に表示される。そして、先頭駒Ｆのフィルム画像が撮像されると、２４枚のフィルム画像Ｇ２４〜Ｇ１が４行６列の配列パターンで配列されたマルチ画像がモニタＴＶ２に表示される。
【０１６１】
図１６に戻り、ベース濃度等が記録済みであれば（＃９１でＹＥＳ）、＃１１７〜＃１３１の処理により各駒Ｆのフィルム画像が最終駒Ｆから先頭駒Ｆの方向に順次、マルチ画像用の撮像方法で撮像され（縮小画像で取り込まれ）（＃１２３）、該撮像画像がモニタＴＶ２に逐次、再生される（＃１１９）。なお、＃１１７〜＃１３１の処理では、本再生時撮像用の露出値及びＷＢ調整値が既に記録されているので、これらの演算は行われない。
【０１６２】
そして、先頭駒Ｆのフィルム画像の表示が終了すると（＃１３１でＹＥＳ）、給送モータＭの逆転駆動（フィルム１１の巻戻し）が停止され（＃１１５）、初期化処理は終了する。
【０１６３】
ところで、上記実施例ではフィルム１１のローディングが終了した後、フィルム情報を読み取るべくフィルム１１をフィルムエンド部１１Ｃまで給送し、フィルム１１の巻戻時に各駒Ｆのフィルム画像を撮像してマルチ画像を表示させるようにしていたが（＃９９，＃１０５，＃１２３，＃１２７参照）、フィルム情報の読取時に同時に各駒Ｆのフィルム画像を撮像し、この撮像画像をマルチ表示させるようにしてもよい。
【０１６４】
図１７及び図１８は、フィルム情報読取時に各駒Ｆのフィルム画像をマルチ表示させるフローチャートである。
【０１６５】
図１７は、図１５において、＃６７と＃６９間にマルチ画像用の撮像処理（＃６８）を追加し、＃６９と＃７１間に撮像したフィルム画像をマルチ画像に合成して表示する画像表示処理（＃７０）を追加したものである。一方、図１８は、図１６において、＃１０５及び＃１２７の画像表示の処理を削除し、＃１１１と＃１１３間及び１３１の直後に画像表示停止の処理（＃１１２，＃１３２）を追加したものである。図１８の画像表示処理の削除及び画像表示停止処理の追加は、図１７の＃７０に画像表示処理を追加したことに基づくものである。
【０１６６】
図１７及び図１８のフローチャートによれば、フィルム１１のローディングが終了した後、引き続きフィルム１１が巻き上げられ、各駒Ｆに対応するフィルム情報が読み取られるとともに、各駒Ｆのフィルム画像がマルチ画像用の撮像方法で撮像され、該撮像画像がマルチ画像に合成されて順次、モニタＴＶ２に表示される（＃６８〜＃７１）。
【０１６７】
なお、この場合のマルチ画像も図２９に示すマルチ画像と同様の方法で表示されるが、図１６のフローチャートの場合とは各駒Ｆの撮像順が逆になるので、フィルム画像Ｇ１〜Ｇ２４の配列順は図２９のものとは逆になる。
【０１６８】
フィルム１１がフィルムエンド部１１Ｃまで巻き上げられ、最終駒Ｆの撮像が終了すると（＃７１でＹＥＳ）、モニタＴＶ２には２４枚のフィルム画像Ｇ１〜Ｇ２４がそれぞれ（１，１），（１，２），…（４，５），（４，６）の位置に配列されたマルチ画像がモニタＴＶ２に表示される。このマルチ画像の表示は、フィルム１１を巻き戻しつつ各駒Ｆの露出値及びＷＢ補正値の演算が行われている間も継続され、該演算処理が終了したとき（＃１１１又は＃１３１でＹＥＳ）、停止される（＃１１２又は＃１３２）。
【０１６９】
本実施例では、フィルム１１の巻上時にモニタＴＶ２の表示画面３にマルチ画像の表示が逐次、行われるので、初期化処理の開始後暫くモニタＴＶ２に何も表示されない、或いは表示内容が変化しないことによるユーザの不快感が軽減される。また、マルチ画像の各駒Ｆのフィルム画像の配列順が撮影順になるので、表示されたマルチ画像に対する違和感もなくなる。
【０１７０】
なお、図１７のフローチャートでは、各駒Ｆのフィルム画像を撮像する毎に生成されたマルチ画像を逐次、モニタＴＶ２に表示させていたが、各マルチ画像をマルチ画像が表示される期間（フィルム１１の巻上及び巻戻期間）、平均して表示させるようにしてもよい。このようにすると、フィルム１１の巻戻期間（＃９３〜＃１１１又は＃１１７〜＃１３１）にもモニタＴＶ２に表示されるマルチ画像の内容が変化するので、上記モニタＴＶ２の表示内容が変化しないことによるユーザの不快感がより低減される。
【０１７１】
次に、フィルム画像の再生処理について説明する。
なお、ここでは一例としてフィルム１１の再生駒数が２４枚の場合について説明する。
【０１７２】
図２１及び図２２は、フィルム画像の再生処理を示すメインフローチャートである。
【０１７３】
まず、フィルム１１のベース濃度が取り込まれる（＃２０１）。このベース濃度は、駒と駒との間の未露光領域若しくは駒の上下の未露光領域を撮像して取り込まれる。続いて、上記ベース濃度とイニシャライズの処理時に演算された露出値及びＷＢ調整値（図１６の＃１０１，＃１０９参照）とから各駒Ｆに対する露出値とＷＢ補正値が演算される（＃２０３）。
【０１７４】
＃２０１で取り込まれたＲ，Ｇ，Ｂの各色のベース濃度をｒ１，ｇ１，ｂ１、イニシャライズの処理時に取り込まれたＲ，Ｇ，Ｂの各色のベース濃度（図１４の＃５５参照）をｒ０，ｇ０，ｂ０とすると、露出値Ｔｖ１及びＷＢ補正値（ＲのＷＢゲインＧＲ１，ＢのＷＢゲインＧＢ１）は、下記数２により算出される。
【０１７５】
【数２】
Ｔｖ１＝Ｔｖ０・（ｇ０／ｇ１）
ＧＲ１＝ＧＲ０・（ｇ０／ｇ１）・（ｒ０／ｒ１）
ＧＢ１＝ＧＢ０・（ｇ０／ｇ１）・（ｂ０／ｂ１）。
【０１７６】
なお、前回の再生処理時に露出値Ｔｖ０，ＷＢ補正値ＧＲ０，ＧＢ０が算出され、フィルム１１に磁気記録部１１６Ａ，１１６Ｂ，１１７Ａ，１１７Ｂに記録されている場合は、該フィルム１１から読み出された露出値Ｔｖ０，ＷＢ補正値ＧＲ０，ＧＢ０と上記ベース濃度ｒ１，ｇ１，ｂ１とから上記数２により再生用の画像取込時の好適な露出値Ｔｖ１，ＷＢ補正値ＧＲ１，ＧＢ１が算出される。
【０１７７】
続いて、フィルム１１の種類が判別される（＃２０５）。
カメラには、写真の撮影方式として写真が撮影される毎にフィルムを１駒ずつ巻き上げ、フィルムの先頭駒から後方向に順番に写真撮影を行なう方式（以下、ノーマルワインド方式という）と、フィルムが装填されると、一旦、最終の駒位置までフィルムを巻き上げ、写真が撮影される毎にフィルムを１駒ずつ巻き戻してフィルムの最終駒から前方向に順番に写真撮影を行なう方式（以下、プリワインド方式という）の２種類の方式がある。
【０１７８】
ノーマルワインド方式による撮影済フィルム（以下、ノーマルワインドフィルムという）は、図３０に示すように、フィルム１１の先頭駒Ｆに最も古いフィルム画像Ｇ１が記録され、最終駒Ｆに最も新しいフィルム画像Ｇ２４が記録されている。また、プリワインド方式による撮影済フィルム（以下、プリワインドフィルムという）は、図３１に示すように、フィルム１１の先頭駒Ｆに最も新しいフィルム画像Ｇ２４が記録され、最終駒Ｆに最も古いフィルム画像Ｇ１が記録されている。
【０１７９】
上記フィルムの種類は、制御部４７によりフィルム１１から読み込まれた磁気情報から判別される。例えばフィルムリーダ部１１Ａの磁気記録部１１６Ａ，１１６Ｂにフィルムの種類に関する情報が直接記録されている場合は、当該磁気情報から判別され、フィルムの種類に関する情報が直接記録されていない場合は、各駒Ｆに対応して磁気記録部１１７Ａ，１１７Ｂに記録された撮影日から間接的に判別される。
【０１８０】
フィルム１１がノーマルワインドフィルムであれば、再生すべき最初の駒Ｆ（未露光でない駒Ｆ）のフィルム画像の撮像開始位置（当該駒Ｆの先端位置を示す孔１１１の検出位置）までフィルム１１が巻き上げられ（＃２０７〜＃２１１のループ）、該フィルム画像に対する撮影条件が設定される（＃２１３）。
【０１８１】
上記撮影条件には、例えば露出レベル、ＷＢ調整値、γ補正値、縦横変換条件、トリミング条件、解像度情報及び光学系の倍率等があるが、ここでは未設定の条件が設定される。
【０１８２】
続いて、設定された撮影条件に基づき光源１９１の発光量、アイリス２２の絞り値、ＣＣＤ２３の露光時間（シャッタースピードＴｖ）、アナログ処理部２４におけるＷＢゲイン等の各装置及び処理部の動作条件が設定される（＃２１５）。
【０１８３】
続いて、フィルム１１の低速給送が開始され、再生用のフィルム画像の撮像が開始される（＃２１７）。フィルム画像は、ハイビジョンのアスペクト比で再生される場合、画像の先端位置がＣＣＤ２３の撮像位置に給送されるタイミングで読取スキャンが開始され、画像の後端位置がＣＣＤ２３の撮像位置を通過したタイミングで読取スキャンが終了されるようになっている。
【０１８４】
このため、フィルム１１の給送開始タイミングと上記フィルム画像の読取スキャン開始タイミング間には給送速度の安定性やその他の条件を調整するためにタイムラグが設けられ、このタイムラグの間にモニタＴＶ２にスキャン開始準備中であることを示す「ＲＥＡＤＹ」の文字表示が行われる（＃２１９，＃２２１）。
【０１８５】
なお、上記読取スキャンの開始タイミングは、フィルム１１の給送開始タイミングからの所定の経過時間の検出、フィルム画像の先端位置を示す孔１１１の検出、フィルム１１の所定の給送量の検出等により行われる。また、フィルム１１の給送速度が所定の低速度に達するタイミングで読取スキャンを開始させるようにしてもよい。
【０１８６】
更に上記読取スキャン開始の準備中にフォーマット情報から再生画像が標準サイズであるか否かが判別され（＃２２３）、標準サイズであれば（＃２２３でＹＥＳ）、読取スキャンの開始タイミングを予め設定された所定時間Ｔｄだけ遅延させる処理が行われる（＃２２５）。
【０１８７】
上記読取スキャン開始タイミングの遅延処理は、再生画像が標準サイズの場合、図９（ｂ）に示すように、再生画像ＧＬがフィルム画像の両端部をｄ１だけ除去した領域に生成されていることに基づくものである。従って、フィルム１１の給送速度をｖとすると、再生画像が標準サイズの場合、読取スキャン開始タイミングは、通常の読取スキャン開始タイミングよりｄ１／ｖだけ遅延される。
【０１８８】
続いて、図２３に示すサブルーチン「本スキャン」のフローチャートに従ってフィルム画像の撮像処理が行われる。
【０１８９】
サブルーチン「本スキャン」がコールされると、まず、読取ライン数Ｍがセットされ（＃２８１）、実際に読み取ったライン数をカウントするカウンタＫが「０」にリセットされる（＃２８３）。上記読取ライン数Ｍは、当該駒Ｆの再生画像のサイズに応じた所定のライン数である。再生サイズが標準サイズの場合は、フィルム画像の両端部を除く中間の所定範囲がスキャンされるので（図９（ｂ）参照）、該所定範囲に対応するライン数Ｍ１が読取ライン数として設定され、再生サイズが標準サイズでない場合は、フィルム画像のスキャン方向において全範囲がスキャンされるので（図９（ａ）（ｃ）参照）、該全範囲に対応するライン数Ｍ２が読取ライン数として設定される。
【０１９０】
続いて、給送モータＭを所定速度で駆動してフィルム１１が給送され、当該駒Ｆのフィルム画像が読み込まれる（＃２８３〜＃３０３のループ）。フィルム画像は、フィルム１１を１ライン分給送する毎にライン単位で撮像を行い（＃２９５）、このライン撮像を撮像範囲の後端位置が検出されるまで（＃３０１又は＃３０３でＹＥＳとなるまで）繰り返して行われる。
【０１９１】
なお、上記本スキャンにおいては、フィルム１１の給送異常のチェックを行い、フィルム画像が正常に撮像されるようにしている。すなち、給送モータＭが１ライン分に相当する所定量だけ駆動される毎に（＃２８５）、この駆動によりフィルム１１が正常に１ライン分だけ給送されたか否かが判別される（＃２８７）。
【０１９２】
上記判別は、例えば給送モータＭの駆動電流値や負荷トルクの監視、或いはフィルム１１の給送不良（切れ、引っ掛かり、滑り等）のチェックにより行われ、フィルム１１の給送が正常に行われたときは（＃２８７でＹＥＳ）、１ライン分の撮像が行われ（＃２９５）、フィルム１１の給送が正常に行われなかったときは（＃２８７でＮＯ）、直ちに給送モータＭの駆動が停止され（＃２８９）、フィルム画像再生装置１の表示部７にフィルム給送異常を示すエラー表示が行われた後（＃２９１）、電源ＯＦＦの処理が行われる（＃２９３）。上記電源ＯＦＦの処理は、処理を中止するとともに、電源スイッチ８０１をＯＦＦにし、エラー内容が解除されるまで、待機状態に入るものである。
【０１９３】
続いて、再生画像が標準サイズでない場合、フィルム１１がフィルム画像の撮像範囲の後端位置まで給送されると（＃３０１でＹＥＳ）、撮像動作が停止され（＃３０５）、当該撮像画像について露出及び撮像範囲の適否が判別される（＃３０７，＃３０９）。そして、撮像画像の露出又は撮像範囲が適正でなければ（＃３０７又は＃３０９でＮＯ）、フィルム画像再生装置１の表示部７にフィルム画像の読取異常を示すエラー表示が行われた後（＃３１１）、再度、当該駒Ｆのフィルム画像の読取を行うべく＃２１３に移行し、撮像画像の露出又は撮像範囲が適正であれば（＃３０７及び＃３０９でＹＥＳ）、リターンする。
【０１９４】
また、再生画像が標準サイズの場合、所定のライン数Ｍ１だけフィルム画像の読取が終了すると（＃３０３でＹＥＳ）、撮像動作が停止され（＃３１３）、当該撮像画像について露出の適否が判別される（＃３１５）。そして、撮像画像の露出が適正でなければ（＃３１５でＮＯ）、フィルム画像再生装置１の表示部７にフィルム画像の読取異常を示すエラー表示が行われた後（＃３１１）、再度、当該駒Ｆのフィルム画像の読取を行うべく＃２１３に移行し、撮像画像の露出が適正であれば（＃３１５でＹＥＳ）、リターンする。
【０１９５】
図２１に戻り、フィルム画像の撮像処理が終了すると、撮像したフィルム画像が設定された所定の演出方法に基づきモニタＴＶ２に再生表示される（＃２２９）。続いて、再生画像の表示方法の変更が指示されているか否かが判別され（＃２３１）、表示方法の変更が指示されていれば（＃２３１でＹＥＳ）、変更内容に基づき表示方法を変更して再生画像の再表示が行われる（＃２３３）。一方、表示方法の変更が指示されていなければ（＃２３１でＮＯ）、現在の再生表示が継続される。
【０１９６】
続いて、再生駒Ｆが最終駒のフィルム画像Ｇ２４であるか否かが判別され（＃２３５）、最終駒でなければ（＃２３５でＮＯ）、＃２０７に戻り、次の駒Ｆのフィルム画像の再生処理が行われる。以下、先頭駒Ｆのフィルム画像Ｇ１から順次、再生処理が行われ、最終駒Ｆのフィルム画像Ｇ２４の再生処理が終了すると（＃２３５でＹＥＳ）、フィルム１１が所定の駒数分だけ巻き戻された後（＃２３７）、再生処理は終了する。
【０１９７】
なお、上記＃２３７のフィルム１１の巻戻処理は、次に再生処理が指示されたときの再生駒Ｆのサーチを迅速に行うために、フィルム１１を所定位置まで予め給送しておくものである。所定位置は、例えば先頭駒、最終駒或いは中央の駒等の読取位置である。先頭の駒Ｆのフィルム画像Ｇ１から再生されることが多い場合は、上記所定位置を先頭駒に設定するとよいが、通常、再生される最初の駒Ｆはランダムであると仮定して最初の駒Ｆへのアクセス時間の平均値が最小となる中央の駒位置を上記所定位置として設定するとよい。
【０１９８】
＃２０５でフィルム１１がプリワインドフィルムであれば、＃２４１（図２２参照）に移行し、＃２４１〜＃２７５を実行してノーマルワインドフィルムと同様の方法で各駒Ｆのフィルム画像の再生処理が行われる。
【０１９９】
プリワインドフィルムは、フィルム１１の後端部から先端部の方向に各駒Ｆが撮影されているので、フィルム１１が後端部にある最終駒Ｆ（再生すべき最初の駒Ｆ）の読取位置まで高速で給送される（＃２４１）。そして、フィルム１１を先端側に給送しつつ各駒Ｆのフィルム画像Ｇ１，Ｇ２，…，Ｇ２４が順次、再生され（＃２４１〜＃２７５）、先頭駒Ｆ（最後のフィルム画像Ｇ２４が撮影されている駒Ｆ）の再生処理が終了すると（＃２６７でＹＥＳ）、フィルム１１が所定の駒数分だけ巻き戻された後（＃２７５）、再生処理は終了する。
【０２００】
なお、各駒Ｆの本スキャンにおいて、フィルム画像の読取位置の位置出しが終了すると、当該駒Ｆのフィルム画像が未露光駒か否かにより再生すべき駒であるか否かを判別するようにしているが、プリワインドフィルムの場合は、最終駒Ｆ（最初のフィルム画像Ｇ１が撮影されている駒）が未露光であることは少ないと考えられるので、２番目の駒Ｆ（フィルム画像Ｇ２が撮影されている駒）から未露光駒であるか否かの判別を行うようにしている。
【０２０１】
すなわち、図２１のノーマルワインドフィルムの再生処理においては、先頭駒Ｆ（フィルム画像Ｇ１が撮影されている駒）の読取位置の位置出しが終了した後に未露光駒の判別ができるように、撮像駒の位置出しの処理（＃２０９）の次に未露光駒の判別処理（＃２１１）を入れているが、図２２のプリワインドフィルムの再生処理においては、最終駒Ｆの位置出しの処理（＃２４３）の次に未露光駒の判別処理を入れず、次の駒の位置出しの処理（＃２７１）の次に未露光駒の判別処理（＃２７３）を入れている。
【０２０２】
図３２は、再生処理におけるフィルムの給送制御を示す図で、（ａ）は、ノーマルワインドフィルムに対する給送制御を示す図、（ｂ）は、プリワインドフィルムに対する給送制御を示す図である。
【０２０３】
同図において、細線の矢印Ｑ１は、本スキャンにおけるフィルム画像のスキャン方向を示し、太線の矢印Ｑ０は、先頭駒から最終駒までのフィルム１１の給送を示し、矢印Ｑ２は、駒と駒との間のフィルム１１の給送を示している。また、各矢印Ｑ１，Ｑ２に付された丸数字は、本スキャンの順番（フィルム画像の読取順）を示している。なお、矢印Ｑ０，Ｑ２で示すフィルム１１の給送は各駒Ｆの読取位置をサーチする給送であるから、矢印Ｑ１で示す本スキャンの時より高速で給送される。
【０２０４】
ノーマルワインドフィルムの場合は、フィルム１１が巻き戻された状態からフィルム１１を巻き上げながら順次、フィルム画像Ｇ１、Ｇ２，…Ｇ２４が撮像されてモニタＴＶ２に再生表示されるので、図３２（ａ）に示すように、フィルム１１は巻上方向に単純給送される。
【０２０５】
一方、プリワインドフィルムの場合は、フィルム画像Ｇ１，Ｇ２，…がフィルムエンド部１１Ｃからフィルムリーダ部１１Ａの方向に配列されているので、再生処理が開始されると、まず、フィルム１１が高速でフィルム画像Ｇ１の読取位置まで巻き上げられ、この後、フィルム１１を巻上方向に本スキャンしてフィルム画像Ｇ１が読み取られ、該フィルム画像Ｇ１が再生表示される。フィルム画像Ｇ１の再生表示が終了すると、フィルム１１をフィルム画像Ｇ２の読取位置まで高速で巻き戻した後、フィルム１１の給送方向を反転させ、フィルム１１を巻上方向に本スキャンしてフィルム画像Ｇ１を読み取り、該フィルム画像Ｇ１が再生表示される。
【０２０６】
以下、フィルム画像の読取位置の位置出しのための巻戻方向の高速給送と本スキャンための巻上方向の低速給送とを繰り返しながらフィルム画像Ｇ２，Ｇ３，…Ｇ２４の撮像及び再生表示が行われる。すなわち、プリワインドフィルムの場合は、フィルム１１が往復動しながら巻戻方向に給送される。
【０２０７】
上記再生処理は、撮影された駒Ｆを所定の再生順に従って順番に再生する場合のものであるが、操作者がフィルム１１の撮影内容を検索し、所望の駒Ｆを選択的に再生表示したい場合がある。
【０２０８】
次に、所望の駒Ｆを選択的に再生表示させる再生制御について、図２５及び図２６に示す「フレーム選択」のフローチャートを用いて説明する。
【０２０９】
なお、所望の駒Ｆを選択的に再生表示させる再生処理（以下、検索再生処理という）は、所定の検索モードにより行われ、例えばモードスイッチ８０６により当該検索モードが設定されると、「フレーム選択」のフローチャートに従って再生処理が行われる。
【０２１０】
「フレーム選択」のフローチャートに入ると、早送りスイッチ８１６又は巻戻しスイッチ８１３がＯＮになっている（押されている）か否かがチェックされる（＃３６１，＃３６３）。なお、検索再生処理においては、上記早送りスイッチ８１６及び巻戻しスイッチ８１３は、フィルム１１に撮影された駒Ｆの検索方向を指示するスイッチとなっている。
【０２１１】
早送りスイッチ８１６がＯＮになっていると（＃３６１でＹＥＳ）、フィルム１１を巻き上げて次の駒Ｆの読取位置の位置出しが行われ（＃３６３）、更に本スキャンを行ってフィルム画像が撮像され（＃３６７）、該撮像画像がモニタＴＶ２に再生表示される（＃３６９）。最初の再生駒は、検索開始駒を示すものであるから、モニタＴＶ２には、図３３に示すように、通常の再生画像が表示される。なお、同図において、Ａは駒番号を示し、Ｂは撮影日時、タイトル等の情報である。
【０２１２】
続いて、早送りスイッチ８１６のＯＮ状態が継続しているか否かが判別され（＃３７１）、早送りスイッチ８１６がＯＦＦになっていれば（＃３７１でＮＯ）、＃３６３に移行する。早送りスイッチ８１６のＯＮ状態が継続していれば（＃３７１でＹＥＳ）、フィルム１１を準高速で巻き上げて（準高速でラフにスキャンして）次の駒Ｆのフィルム画像の撮像が行われ、該撮像画像がモニタＴＶ２に再生表示される（＃３７３〜＃３７７）。そして、早送りスイッチ８１６のＯＮ状態が継続している間、駒順に順次、次の駒Ｆのフィルム画像が撮像され、該撮像画像がモニタＴＶ２に再生表示される（＃３７５〜＃３７９のループ）。
【０２１３】
なお、上記ラフスキャンは、フィルム画像をマルチ画像用として撮像するものである。従って、準高速というのは、本スキャンにおけるフィルム１１の速度より高速であるが、通常の巻上げ／巻戻しの速度より低速であるという意味である。
【０２１４】
また、上述したようにマルチ画像用として撮像された画像は、正規の再生画像よりも間引いて撮像されているので（図１１参照）、モニタＴＶ２の表示画面３には、図３４に示すように、正規の再生画像よりも小さいサイズの画像Ｃが再生される。なお、同図において、Ａは駒番号である。
【０２１５】
２番目以降の再生表示をマルチ画像用として撮像した画像で行っているのは、当該再生画像は、検索用の画像で、通常の再生画像のような高画質が要求されないからである。また、撮像画像を再生画像のサイズに拡大して表示させないのは、フィルム画像が飛越スキャンにより低分解能で撮像されているので、撮像画像を拡大して再生すると、再生画像の画質が極端に低下し、操作者に違和感乃至不快感を与えることになるからである。
【０２１６】
検索再生処理中に早送りスイッチ８１６のＯＮ状態が解除されると（＃３７９でＮＯ）、フィルム１１の給送が停止され（＃３８１）、停止位置の駒Ｆのフィルム画像を通常の再生画像で表示すべく当該駒Ｆのフィルム画像の読取位置の位置出しが行われた後（＃３８３）、＃３６７に戻る。停止位置の駒Ｆのフィルム画像を通常の再生画像で表示させるのは、この駒Ｆが検索終了駒を示すものだからである。
【０２１７】
「フレーム選択」のフローチャートに入り、巻戻しスイッチ８１３がＯＮになる（押される）と、或いは検索再生処理中に巻戻しスイッチ８１３がＯＮになると、（＃３６３でＹＥＳ）、フレーム情報の書換が必要な場合、ラフスキャン中に当該駒Ｆのフレーム情報が同時に書き換えられる処理（＃３８５，＃３８７，＃４０１，＃４０３参照）が追加されれている点を除いて、早送りスイッチ８１６が押されたときと同様の手順で検索再生処理が行われる（＃３８５〜＃４１１）。すなわち、＃３９１〜＃３９９の各ステップは、＃３６７〜＃３７５の各ステップに対応し、＃４０５〜＃４１１の各ステップは、＃３７７〜＃３８３の各ステップに対応している。
【０２１８】
従って、巻戻しスイッチ８１３がＯＮになると、検索開始駒Ｆに対し、フレーム情報の書換えが必要であるか否かの判別が行われ（＃３８５）、フレーム情報の書換えが必要であれば（＃３８５でＹＥＳ）、フィルム１１が検索開始駒Ｆのフィルム画像の読取位置まで巻き戻される間にフレーム情報の書換えが行われる（＃３８７）。そして、検索開始駒Ｆのフィルム画像は、本スキャンにより通常の再生画像として撮像され、該撮像画像がモニタＴＶ２に再生表示される（＃３９１，＃３９３）。
【０２１９】
また、２枚目以降の検索駒Ｆについては、各駒Ｆのフィルム画像のラフスキャンが開始されると（＃３９９）、当該駒Ｆについてフレーム情報の書換えが必要であるか否かの判別が行われ（＃４０１）、フレーム情報の書換えが必要であれば（＃４０１でＹＥＳ）、当該ラフスキャンが行われる間に同時にフレーム情報の書換えが行われる（＃４０３）。そして、各駒Ｆのフィルム画像は、ラフスキャンによりマルチ画像用として撮像された画像がモニタＴＶ２に再生表示される（＃３９９〜＃４０５）。
【０２２０】
なお、再生用の駒Ｆの巻戻方向の検索においては、巻上方向の検索と異なり、各駒Ｆのフィルム画像は後端側から先端側にスキャンされて撮像される。これは、巻上方向の検索と同様に各駒Ｆのフィルム画像を先端側から後端側にスキャンするようにすると、各駒Ｆのフィルム画像の読取位置の位置出しのためのフィルム１１の巻戻しと各駒Ｆのフィルム画像の撮像のためのフィルム１１の巻上げとが交互に行われ、巻戻方向の検索再生処理が巻上方向の検索再生処理に比して著しく遅くなるからである。
【０２２１】
また、巻戻方向の検索再生処理においては、フィルム１１に対するフレーム情報書込のためのスキャン方向が一致し、しかも各駒Ｆのフィルム画像のラフスキャンにおいては、フィルム１１が磁気情報書込時の給送速度と略同一の速度で給送されるので、上記ラフスキャン時に必要なフレーム情報書換処理を行うことにより処理の効率化及び迅速化を図るようにしている。
【０２２２】
ところで、フィルム１１の巻上制御においては、駆動モータＭや給送機構の慣性によりフィルム１１が終端位置から必要以上に巻き上げられてフィルム１１が損傷することがある。このため、フィルム１１の巻上制御においては、フィルム１１がフィルムカートリッジ９から全て引き出される前に駆動モータＭの駆動を停止させ、フィルム１１がフィルムカートリッジ９から完全に引き出されてから更に巻き上げられないようにする必要がある。
【０２２３】
本実施例では、フィルムエンド部１１Ｃの後端位置を示す孔１１５を検出し、この検出に基づいて駆動モータＭを停止させるようにしている。
【０２２４】
上記駆動モータＭの停止制御は、図２７の「終端検知」のフローチャートに従って行われる。
【０２２５】
図２７の「終端検知」のフローチャートは、フィルムエンド部１１Ｃの先端位置を示す孔１１４と後端位置を示す孔１１５間の距離が各駒Ｆに対応して設けられた先端位置を示す孔１１１と後端位置を示す孔１１２間の距離よりも短いことから、各駒Ｆの先端位置と後端位置間の給送時間Ｔを検出しながらフィルム１１を巻き上げ、この給送時間Ｔが前回検出した給送時間Ｔよりも短かくなると、当該給送時間Ｔはフィルムエンド部１１Ｃの先端位置と後端位置間を給送した時間であると判断してフィルムエンド部１１Ｃの後端位置を示す孔１１５を検出するようにしている。
【０２２６】
すなわち、フィルム１１の給送速度が低速であるか否かが判別され（＃４２１）、給送速度が低速であれば（＃４２１でＹＥＳ）、＃４２３に移行し、＃４２３〜＃４３９で低速給送に応じたフィルム１１の終端検知処理が行われ、給送速度が高速であれば（＃４２１でＮＯ）、＃４３９に移行し、＃４３９〜＃４５５で高速給送に応じたフィルム１１の終端検知処理が行われる。
【０２２７】
低速給送に対する終端検知処理と高速給送に対する終端検知処理とは、第１のタイムメモリＴn-1，Ｔm-1にセットされる基準給送時間Ｔｒ１，Ｔｒ２が異なるのみで、＃４２３〜＃４３９の各ステップはそれぞれ＃４３９〜＃４５５の各ステップに対応し、基本的な処理手順は同一であるから、以下の詳細説明では低速給送に対する終端検知処理についてのみ行う。
【０２２８】
なお、上記基準給送時間Ｔｒ１，Ｔｒ２は、最初の駒Ｆについて実測した給送時間Ｔ１に対する比較対象の前の駒Ｆについての給送時間Ｔ０が存在しないので、当該給送時間Ｔ０としてセットされるものである。
【０２２９】
フィルム１１の給送速度が低速の場合、メモリ３６２の第１のタイムメモリＴn-1に予め設定された基準給送時間Ｔｒ１がセットされる（＃４２３）。続いて、巻上開始後の最初の駒Ｆの先端位置を示す孔１１１が検出されると（＃４２５でＹＥＳ）、タイマＴ３（図４、タイマ３６１に相当）のカウントが開始され（＃４２７）、最初の駒Ｆの後端位置を示す孔１１２が検出されると（＃４２９でＹＥＳ）、タイマＴ３のカウントが停止され（＃４３１）、このカウント時間（給送時間）Ｔ１がメモリ３６２の第２のタイムメモリＴnに記憶される（＃４３３）。
【０２３０】
続いて、上記第１のタイムメモリＴn-1の記憶されたカウント時間Ｔ１と上記第２のタイムメモリＴnの記憶された基準給送時間Ｔｒ１とを比較し、カウント時間Ｔ１が上記基準給送時間Ｔｒ１に比して非常に小さいか否かが判別され（＃４３５）、カウント時間Ｔ１が上記基準給送時間Ｔｒ１より非常に小さければ（＃４３５でＹＥＳ）、＃４２７で検出された孔はフィルムエンド部１１Ｃの後端位置を示す孔１１５であると判断して、駆動モータＭの駆動が停止される（＃４３９）。
【０２３１】
カウント時間Ｔ１が上記基準給送時間Ｔｒ１と略同一であれば（＃４３５でＮＯ）、上記第１のタイムメモリＴn-1の内容が上記カウント時間Ｔ１に書き換えられた後（＃４３７）、＃４２５に戻り、＃４２５〜＃４３３で２番目の駒Ｆに対する給送時間Ｔ２がカウントされ、第２のタイムメモリＴnの内容が該カウント結果により書き換えられる。
【０２３２】
続いて、上記第１のタイムメモリＴn-1の記憶された現在の駒Ｆに対する給送時間Ｔ２と上記第２のタイムメモリＴnの記憶された前の駒Ｆに対する給送時間Ｔ１とを比較し、給送時間Ｔ２が上記給送時間Ｔ１に比して非常に小さいか否かが判別される（＃４３５）。
【０２３３】
そして、給送時間Ｔ２が給送時間Ｔ１より非常に小さければ（＃４３５でＹＥＳ）、＃４２７で検出された孔はフィルムエンド部１１Ｃの後端位置を示す孔１１５であると判断して、駆動モータＭの駆動が停止され（＃４３９）、給送時間Ｔ２が給送時間Ｔ１と略同一であれば（＃４３５でＮＯ）、上記第１のタイムメモリＴn-1の内容が上記カウント時間Ｔ２に書き換えられた後（＃４３７）、＃４２５に戻る。
【０２３４】
以下、各駒Ｆの給送時間Ｔnを検出する毎に今回の駒Ｆに対する給送時間Ｔnと前回の駒Ｆに対する給送時間Ｔn-1とを比較し、今回の給送時間Ｔnが前回の給送時間Ｔn-1に比して非常に小さくなっていれば（＃４３５でＹＥＳ）、フィルムエンド部１１Ｃの後端位置を示す孔１１５が検出されたと判断して、駆動モータＭの駆動が停止され（＃４３９）。
【０２３５】
なお、本実施例では、フィルムエンド部１１Ｃの後端位置を示す孔１１５を検出し、この検出に基づいて駆動モータＭを停止させるようにしているが、例えばフィルム１１にフィルムエンド部１１Ｃを示すマークを付し、このマークを検出して駆動モータＭを停止させるようにしてもよい。また、各駒Ｆに付された駒番号を検出し、最大の駒番号の駒Ｆを超えると、フィルムエンド部１１Ｃに達したと判断して駆動モータＭを停止させてもよく、フィルム１１の引出量を検出し、フィルム１１が所定量以上引き出されると、駆動モータＭを停止させるようにしてもよい。
【０２３６】
【発明の効果】
以上説明したように、撮像された画像を表示手段に再生表示する画像再生装置において、検索モードが設定されると、撮像された画像を通常再生時よりも粗い密度で1つずつ順次、再生表示し、検索モードが解除されると、検索モードが解除された時に再生表示されていた画像を通常再生時の密度で再生表示するようにしたので、検索中は各駒の像が迅速に再生され、画像を確認しながら駒検索を迅速に行なうことができる。
【０２３７】
また、検索モードが解除されると、検索モードが解除された時に再生表示されていた駒を目的の駒と判断してこの駒の画像を通常再生時の密度で再生表示するようにしたので、駒の検索及び選択の一連の操作を簡単に行うことができる。
【図面の簡単な説明】
【図１】本発明に係るフィルム画像再生装置の一実施例の外観図である。
【図２】本発明に係るフィルム画像再生装置の前面パネルを示す正面図である。
【図３】本発明に係るフィルム画像再生装置のフィルム装填部の構造を示す図である。
【図４】本発明に係るフィルム画像再生装置の制御系のブロック構成図である。
【図５】本発明に係るフィルム画像再生装置に適用されるフィルムカートリッジの構造を示す斜視図である。
【図６】フィルムカートリッジにフィルムが収納された状態を示す斜視図である。
【図７】フィルムカートリッジからフィルムが繰り出された状態を示す斜視図である。
【図８】本発明に係るフィルム画像再生装置に適用されるフィルムの構造を示す図である。
【図９】フィルムに光学的に記録されたフォーマット情報の一例を示すもので、（ａ）はハイビジョンサイズに対するフォーマット情報が記録されたフィルムを示す図、（ｂ）は標準サイズに対するフォーマット情報が記録されたフィルムを示す図、（ｃ）はパノラマサイズに対するフォーマット情報が記録されたフィルムを示す図である。
【図１０】ＣＣＤラインセンサの撮像動作を説明するための波形図で、（ａ）は転送パルスの波形図、（ｂ）はリセットパルスの波形図、（ｃ）は感光部に蓄積される蓄積電荷レベルの波形図である。
【図１１】マルチ画像用の画像作成方法を示す図で、（ａ）はフィルム画像を示す図、（ｂ）はマルチ画像用に撮像された画像を示す図で、（ｃ）はマルチ画像用に縮小された画像を示す図である。
【図１２】「ＡＰＯシーケンス」のフローチャートである。
【図１３】「イニシャライズ」のフローチャートである。
【図１４】「イニシャライズ」のフローチャートである。
【図１５】「イニシャライズ」のフローチャートである。
【図１６】「イニシャライズ」のフローチャートである。
【図１７】「イニシャライズ」のフローチャートである。
【図１８】「イニシャライズ」のフローチャートである。
【図１９】「リーダ部情報読取」のフローチャートである。
【図２０】「イニシャルＮＧ」のフローチャートである。
【図２１】ノーマルフィルムの再生処理に関するフローチャートである。
【図２２】プリワインドフィルムの再生処理に関するフローチャートである。
【図２３】「本スキャン」のフローチャートである。
【図２４】「終了シーケンス」のフローチャートである。
【図２５】「フレーム選択」のフローチャートである。
【図２６】「フレーム選択」のフローチャートである。
【図２７】「終端検知」のフローチャートである。
【図２８】シンボルマークの一例を示すもので、（ａ）はフィルムマークを示す図、（ｂ）は巻戻マークを示す図、（ｃ）は早送マークを示す図である。
【図２９】モニタＴＶに表示されるマルチ画像の表示例を示す図である。
【図３０】ノーマルワインドフィルムの各駒の配列を示す斜視図である。
【図３１】プリワインドフィルムの各駒の配列を示す斜視図である。
【図３２】再生処理におけるフィルムの給送制御を示す図で、（ａ）はノーマルワインドフィルムに対する給送制御を示す図、（ｂ）はプリワインドフィルムに対する給送制御を示す図である。
【図３３】通常の再生画像の一例を示す図である。
【図３４】検索再生時の再生画像の一例を示す図である。
【符号の説明】
１  フィルム画像再生装置
２  モニタＴＶ（表示手段）
６  イジェクトテーブル
７  表示部
８  操作部
８０１  電源スイッチ
８０２  電源ランプ
８０３  イジェクトスイッチ
８０６  モードスイッチ（モード設定手段）
９  フィルムカートリッジ
１０  テーブル収納部
１１  フィルム
１２  フィルム装填部
１９  照明部
２０  ミラー
２１  レンズ系
２２  アイリス
２３  ＣＣＤ
２４  アナログ処理部
２５  Ａ／Ｄコンバータ
２６  第１プロセス部
２７  第１画像メモリ
２８  演出制御回路
２９  第２画像メモリ
３０  第２プロセス部
３８  ＣＣＤドライバ
４７  制御部（制御手段）
【図１】
0003964468.tif 000002
【図２】
0003964468.tif 000003
【図３】
0003964468.tif 000004
【図４】
0003964468.tif 000005
【図５】
0003964468.tif 000006
【図６】
0003964468.tif 000007
【図７】
0003964468.tif 000008
【図８】
0003964468.tif 000009
【図９】
0003964468.tif 000010
【図１０】
0003964468.tif 000011
【図１１】
0003964468.tif 000012
【図１２】
0003964468.tif 000013
【図１３】
0003964468.tif 000014
【図１４】
0003964468.tif 000015
【図１５】
0003964468.tif 000016
【図１６】
0003964468.tif 000017
【図１７】
0003964468.tif 000018
【図１８】
0003964468.tif 000019
【図１９】
0003964468.tif 000020
【図２０】
0003964468.tif 000021
【図２１】
0003964468.tif 000022
【図２２】
0003964468.tif 000023
【図２３】
0003964468.tif 000024
【図２４】
0003964468.tif 000025
【図２５】
0003964468.tif 000026
【図２６】
0003964468.tif 000027
【図２７】
0003964468.tif 000028
【図２８】
0003964468.tif 000029
【図２９】
0003964468.tif 000030
【図３０】
0003964468.tif 000031
【図３１】
0003964468.tif 000032
【図３２】
0003964468.tif 000033
【図３３】
0003964468.tif 000034
【図３４】
0003964468.tif 000035